(57)【要約】  固定装置（８）が、固定装置をラリンジアルマスク気道装置に解除可能に固定するための解除可能なロック手段（１２）を含む、ラリンジアルマスク気道装置（１０）と併用するための固定装置（８）。
2019509860.tif 000002
【特許請求の範囲】
【請求項１】
固定装置をラリンジアルマスク気道装置に解除可能に固定する解除可能なロック手段を含む、ラリンジアルマスク気道装置と併用するための固定装置。
【請求項２】
前記解除可能なロック手段が、第１の構成で、前記固定装置が前記ラリンジアルマスク気道装置に固定されて適所にロックされ得、第２の構成で、前記固定装置がロック解除されて前記ラリンジアルマスク気道装置から取り外され得るように構成されている、請求項１に記載の固定装置。
【請求項３】
前記解除可能なロック手段が、第１の部分と第２の部分とを含み、前記第１の部分と前記第２の部分とが相互に係合可能である、請求項１又は２に記載の固定装置。
【請求項４】
前記解除可能なロック手段が、オス部分とメス部分とを含み、前記オス部分が前記メス部分と相互に係合可能である、請求項１、２又は３のいずれか一項に記載の固定装置。
【請求項５】
前記オス部分と前記メス部分とが、フックとアパーチャの組み合わせを構成し、前記フックが前記アパーチャと解除可能に係合することができる、請求項４に記載の固定装置。
【請求項６】
前記オス部分と前記メス部分とが、フックと凹部の組み合わせを構成し、前記フックが前記凹部と解除可能に係合することができる、請求項４に記載の固定装置。
【請求項７】
前記解除可能なロック手段が、ロック構成の方へ付勢される、請求項１〜６のいずれか一項に記載の固定装置。
【請求項８】
前記解除可能なロック手段が、前記固定装置のロック及び／又はロック解除を容易にするレバーをさらに含む、請求項１〜７のいずれか一項に記載の固定装置。
【請求項９】
前記固定装置が、前記ラリンジアルマスク気道装置の近位端の形状と符合する形状である、請求項１〜８のいずれか一項に記載の固定装置。
【請求項１０】
前記固定装置の内面が、前記ラリンジアルマスク気道装置の近位端の外面の形状に対応している、請求項１〜９のいずれか一項に記載の固定装置。
【請求項１１】
前記固定装置が、前記ラリンジアルマスク気道装置のバイトブロックの形状と符合する形状である、請求項１〜１０のいずれか一項に記載の固定装置。
【請求項１２】
前記固定装置の内面が、前記ラリンジアルマスク気道装置の前記バイトブロックの外面の形状に対応している、請求項１〜１１のいずれか一項に記載の固定装置。
【請求項１３】
前記固定装置が、前記ラリンジアルマスク気道装置の外面に固定される、請求項１〜１２のいずれか一項に記載の固定装置。
【請求項１４】
前記固定装置が、前記ラリンジアルマスク気道装置のバイトブロックの外面に固定される、請求項１〜１３のいずれか一項に記載の固定装置。
【請求項１５】
前記固定装置が、リング状の形状を有する、請求項１〜１４のいずれか一項に記載の固定装置。
【請求項１６】
患者に前記ラリンジアルマスク気道装置を固定するためにその周囲にストラップを解除可能に固定することができるストラップマウントを含む、請求項１〜１５のいずれか一項に記載の固定装置。
【請求項１７】
少なくとも１つのマウントバーを含む、請求項１６に記載の固定装置。
【請求項１８】
前記少なくとも１つのマウントバーが、前記装置の長手方向軸に対して実質的に垂直な方向に延在する２つのアームの間に配置されており、マウントバーが前記装置のどちらかの側に配置されている、請求項１７に記載の固定装置。
【請求項１９】
少なくとも１つのタブをさらに含む、請求項１〜１８のいずれか一項に記載の固定装置。
【請求項２０】
２つのタブを含む、請求項１９に記載の固定装置。
【請求項２１】
各タブがマウントバー上に設けられている、請求項２０に記載の固定装置。
【請求項２２】
前記少なくとも１つのタブが、ストラップ上に設けられたアパーチャと符合する形状であり、前記少なくとも１つのタブが、前記装置が患者の体内に挿入されたときに前記ストラップを適所に保持するように設けられている、請求項１９、２０又は２１のいずれか一項に記載の固定装置。
【請求項２３】
プラスチック材料を含む、請求項１〜２２のいずれか一項に記載の固定装置。
【請求項２４】
１つ以上の異なる位置で前記ラリンジアルマスク気道装置に対して前記固定装置を再位置決めする手段をさらに含む、請求項１〜２３のいずれか一項に記載の固定装置。
【請求項２５】
前記再位置決めする手段が、相互に係合可能なオス部分とメス部分とを含む、請求項２４に記載の固定装置。
【請求項２６】
前記再位置決めする手段が、前記固定装置の内面に設けられた少なくとも１つの隆起部を含む、請求項２４又は２５に記載の固定装置。
【請求項２７】
２つの隆起部を含む、請求項２６に記載の固定装置。
【請求項２８】
前記少なくとも１つの隆起部が、前記ラリンジアルマスク気道装置の外面に設けられた少なくとも１つの凹部と係合する、請求項２４〜２７のいずれか一項に記載の固定装置。
【請求項２９】
前記少なくとも１つの凹部が、前記ラリンジアルマスク気道装置のバイトブロックの外面に設けられている、請求項２８に記載の固定装置。
【請求項３０】
少なくとも１つの隆起部が、前記少なくとも１つの凹部と相互に係合可能である、請求項２８又は２９に記載の固定装置。
【請求項３１】
前記少なくとも１つの凹部が、前記ラリンジアルマスク気道装置の長手方向軸に実質的に垂直な方向に前記バイトブロックの一辺に沿って延在する、請求項２９又は３０に記載の固定装置。
【請求項３２】
前記固定装置が、前記ラリンジアルマスク気道装置の長手方向長さに沿った第１の位置と第２の位置との間で移動可能であり、そこに解除可能に固定され得る、請求項２４〜３１のいずれか一項に記載の固定装置。
【請求項３３】
固定装置を複数の異なる位置でラリンジアルマスク気道装置に解除可能に固定する解除可能な再位置決め手段を含む、ラリンジアルマスク気道装置と併用するための固定装置。
【請求項３４】
前記再位置決めする手段が、相互に係合可能なオス部分とメス部分とを含む、請求項３３に記載の固定装置。
【請求項３５】
前記再位置決めする手段が、前記固定装置の内面に設けられた少なくとも１つの隆起部を含む、請求項３３又は３４のいずれか一項に記載の固定装置。
【請求項３６】
２つの隆起部を含む、請求項３５に記載の固定装置。
【請求項３７】
前記少なくとも１つの隆起部が、前記ラリンジアルマスク気道装置の外面に設けられた少なくとも１つの凹部と係合する、請求項３３〜３６のいずれか一項に記載の固定装置。
【請求項３８】
前記少なくとも１つの凹部が、前記装置のバイトブロックの外面に設けられている、請求項３７に記載の固定装置。
【請求項３９】
前記少なくとも１つの隆起部が、前記少なくとも１つの凹部と相互に係合可能である、請求項３８に記載の固定装置。
【請求項４０】
前記少なくとも１つの凹部が、前記ラリンジアルマスク気道装置の長手方向軸に実質的に垂直な方向に前記バイトブロックの一辺に沿って延在する、請求項３７〜３９のいずれか一項に記載の固定装置。
【請求項４１】
前記固定装置が、前記ラリンジアルマスク気道装置の長手方向長さに沿った第１の位置と第２の位置との間で移動可能であり、そこに解除可能に固定され得る、請求項３３〜４０のいずれか一項に記載の固定装置。
【請求項４２】
前記固定装置を前記ラリンジアルマスク気道装置に解除可能に固定する解除可能なロック手段をさらに含む、請求項３３〜４１のいずれか一項に記載の固定装置。
【請求項４３】
前記解除可能なロック手段が、第１の構成で、前記固定装置が前記ラリンジアルマスク気道装置に固定されて適所にロックされ得、第２の構成で、前記固定装置がロック解除されて前記ラリンジアルマスク気道装置から取り外され得るように構成されている、請求項４２に記載の固定装置。
【請求項４４】
前記解除可能なロック手段が、第１の部分と第２の部分とを含み、前記第１の部分と前記第２の部分とが相互に係合可能である、請求項４２又は４３に記載の固定装置。
【請求項４５】
前記解除可能なロック手段が、オス部分とメス部分とを含み、前記オス部分が前記メス部分と相互に係合可能である、請求項４２、４３又は４４のいずれか一項に記載の固定装置。
【請求項４６】
前記オス部分と前記メス部分とが、フックとアパーチャの組み合わせを構成し、前記フックが、前記アパーチャと解除可能に係合することができる、請求項４５に記載の固定装置。
【請求項４７】
前記オス部分と前記メス部分とが、フックと凹部の組み合わせを構成し、前記フックが、前記凹部と解除可能に係合することができる、請求項４５に記載の固定装置。
【請求項４８】
前記解除可能なロック手段が、ロック構成の方へ付勢される、請求項４２〜４７のいずれか一項に記載の固定装置。
【請求項４９】
前記解除可能なロック手段が、前記固定装置のロック及び／又はロック解除を容易にするレバーをさらに含む、請求項４２〜４８のいずれか一項に記載の固定装置。
【請求項５０】
前記固定装置が、前記ラリンジアルマスク気道装置の近位端の形状と符合する形状である、請求項３３〜４９のいずれか一項に記載の固定装置。
【請求項５１】
前記固定装置の内面が、前記ラリンジアルマスク気道装置の近位端の外面の形状に対応している、請求項３３〜５０のいずれか一項に記載の固定装置。
【請求項５２】
前記固定装置が、前記ラリンジアルマスク気道装置のバイトブロックの形状と符合する形状である、請求項３３〜５１のいずれか一項に記載の固定装置。
【請求項５３】
前記固定装置の内面が、前記ラリンジアルマスク気道装置の前記バイトブロックの外面の形状に対応している、請求項３３〜５２のいずれか一項に記載の固定装置。
【請求項５４】
前記固定装置が、前記ラリンジアルマスク気道装置の外面に固定される、請求項３３〜５３のいずれか一項に記載の固定装置。
【請求項５５】
前記固定装置が、前記ラリンジアルマスク気道装置のバイトブロックの外面に固定される、請求項３３〜５４のいずれか一項に記載の固定装置。
【請求項５６】
前記固定装置がリング状の形状を有する、請求項４２〜５５のいずれか一項に記載の固定装置。
【請求項５７】
患者に前記ラリンジアルマスク気道装置を固定するためにその周囲にストラップを取り外し可能に固定することができるストラップマウントを含む、請求項３３〜５６のいずれか一項に記載の固定装置。
【請求項５８】
少なくとも１つのマウントバーを含む、請求項５７に記載の固定装置。
【請求項５９】
前記少なくとも１つのマウントバーが、前記装置の長手方向軸に対して実質的に垂直な方向に延在する２つのアームの間に配置されており、マウントバーが前記装置のどちらかの側に配置されている、請求項５８に記載の固定装置。
【請求項６０】
少なくとも１つのタブをさらに含む、請求項３３〜５９のいずれか一項に記載の固定装置。
【請求項６１】
２つのタブを含む、請求項６０に記載の固定装置。
【請求項６２】
各タブがマウントバー上に設けられている、請求項６１に記載の固定装置。
【請求項６３】
前記少なくとも１つのタブが、ストラップ上に設けられたアパーチャと符合する形状であり、前記少なくとも１つのタブが、前記装置が患者の体内に挿入されたときに前記ストラップを適所に保持するように設けられている、請求項５８、５９又は６０のいずれか一項に記載の固定装置。
【請求項６４】
プラスチック材料を含む、請求項３３〜６３のいずれか一項に記載の固定装置。
【請求項６５】
少なくとも１つのエアウェイチューブと前記エアウェイチューブの一端で支持されたマスクとを含む、ラリンジアルマスク気道装置であって、前記マスクが、遠位端と、近位端と、喉頭口の外周の周囲にシールを形成するように患者の喉頭の背後の実際の潜在的な空間に順応し、前記空間の内部に収まることができる周辺形成物とを有し、前記周辺形成物が、前記マスクの中空内部空間又は内腔を取り囲み、前記少なくとも１つのエアウェイチューブが、前記マスクの内腔に開口しており、前記周辺形成物が、喉頭室側と咽頭側との間の分離を確立し、前記装置が、固定装置を前記ラリンジアルマスク気道装置に解除可能に固定する解除可能なロック手段を含む前記固定装置をさらに含む、ラリンジアルマスク気道装置。
【請求項６６】
前記解除可能なロック手段が、第１の構成で、前記固定装置が前記ラリンジアルマスク気道装置に固定されて適所にロックされ得、第２の構成で、前記固定装置がロック解除されて前記ラリンジアルマスク気道装置から取り外され得るように構成されている、請求項６５に記載のラリンジアルマスク気道装置。
【請求項６７】
前記解除可能なロック手段が、第１の部分と第２の部分とを含み、前記第１の部分と前記第２の部分とが相互に係合可能である、請求項６５又は６６に記載のラリンジアルマスク気道装置。
【請求項６８】
前記解除可能なロック手段が、オス部分とメス部分とを含み、前記オス部分が前記メス部分と相互に係合可能である、請求項６５、６６又は６７のいずれか一項に記載のラリンジアルマスク気道装置。
【請求項６９】
前記オス部分と前記メス部分とが、フックとアパーチャの組み合わせを構成し、前記フックが、前記アパーチャと解除可能に係合することができる、請求項６８に記載のラリンジアルマスク気道装置。
【請求項７０】
前記オス部分と前記メス部分とが、フックと凹部の組み合わせを構成し、前記フックが、前記凹部と解除可能に係合することができる、請求項６８に記載の固定装置。
【請求項７１】
前記解除可能なロック手段が、ロック構成の方へ付勢される、請求項６５〜７０のいずれか一項に記載の固定装置。
【請求項７２】
前記解除可能なロック手段が、前記固定装置のロック及び／又はロック解除を容易にするレバーをさらに含む、請求項６５〜７１のいずれか一項に記載の固定装置。
【請求項７３】
前記固定装置が、前記ラリンジアルマスク気道装置の近位端の形状と符合する形状である、請求項６５〜７２のいずれか一項に記載のラリンジアルマスク気道装置。
【請求項７４】
前記固定装置の内面が、前記ラリンジアルマスク気道装置の近位端の外面の形状に対応している、請求項６５〜７３のいずれか一項に記載のラリンジアルマスク気道装置。
【請求項７５】
前記固定装置が、前記ラリンジアルマスク気道装置のバイトブロックの形状と符合する形状である、請求項６５〜７４のいずれか一項に記載のラリンジアルマスク気道装置。
【請求項７６】
前記固定装置の内面が、前記ラリンジアルマスク気道装置の前記バイトブロックの外面の形状に対応している、請求項６５〜７５のいずれか一項に記載のラリンジアルマスク気道装置。
【請求項７７】
前記固定装置が、前記ラリンジアルマスク気道装置の外面に固定される、請求項６５〜７６のいずれか一項に記載のラリンジアルマスク気道装置。
【請求項７８】
前記固定装置が、前記ラリンジアルマスク気道装置のバイトブロックの外面に固定される、請求項６５〜７７のいずれか一項に記載のラリンジアルマスク気道装置。
【請求項７９】
前記固定装置がリング状の形状を有する、請求項６５〜７８のいずれか一項に記載のラリンジアルマスク気道装置。
【請求項８０】
患者に前記ラリンジアルマスク気道装置を固定するためにその周囲にストラップを取り外し可能に固定することができるストラップマウントを含む、請求項６５〜７９のいずれか一項に記載のラリンジアルマスク気道装置。
【請求項８１】
少なくとも１つのマウントバーを含む、請求項８０に記載のラリンジアルマスク気道装置。
【請求項８２】
前記少なくとも１つのマウントバーが、前記装置の長手方向軸に対して実質的に垂直な方向に延在する２つのアームの間に配置されており、マウントバーが前記装置のどちらかの側に配置されている、請求項８１に記載のラリンジアルマスク気道装置。
【請求項８３】
少なくとも１つのタブをさらに含む、請求項６５〜８２のいずれか一項に記載のラリンジアルマスク気道装置。
【請求項８４】
２つのタブを含む、請求項８３に記載のラリンジアルマスク気道装置。
【請求項８５】
各タブがマウントバー上に設けられている、請求項８４に記載のラリンジアルマスク気道装置。
【請求項８６】
前記少なくとも１つのタブが、ストラップ上に設けられたアパーチャと符合する形状であり、前記少なくとも１つのタブが、前記装置が患者の体内に挿入されたときに前記ストラップを適所に保持するように設けられている、請求項８３、８４又は８５のいずれか一項に記載のラリンジアルマスク気道装置。
【請求項８７】
プラスチック材料を含む、請求項６５〜８６のいずれか一項に記載のラリンジアルマスク気道装置。
【請求項８８】
１つ以上の異なる位置で前記ラリンジアルマスク気道装置に対して前記固定装置を再位置決めする手段をさらに含む、請求項６５〜８７のいずれか一項に記載のラリンジアルマスク気道装置。
【請求項８９】
前記再位置決めする手段が、相互に係合可能なオス部分とメス部分とを含む、請求項８８に記載のラリンジアルマスク気道装置。
【請求項９０】
前記再位置決めする手段が、前記固定装置の内面に設けられた少なくとも１つの隆起部を含む、請求項８８又は８９に記載のラリンジアルマスク気道装置。
【請求項９１】
２つの隆起部を含む、請求項９０に記載のラリンジアルマスク気道装置。
【請求項９２】
前記少なくとも１つの隆起部が、前記ラリンジアルマスク気道装置の外面に設けられた少なくとも１つの凹部と係合する、請求項９０又は９１のいずれか一項に記載のラリンジアルマスク気道装置。
【請求項９３】
バイトブロックをさらに含む、請求項６５〜９２のいずれか一項に記載のラリンジアルマスク気道装置。
【請求項９４】
前記少なくとも１つの凹部が、前記バイトブロックの外面に設けられている、請求項９３に記載のラリンジアルマスク気道装置。
【請求項９５】
前記少なくとも１つの隆起部が、前記少なくとも１つの凹部と相互に係合可能である、請求項９０〜９４のいずれか一項に記載のラリンジアルマスク気道装置。
【請求項９６】
前記少なくとも１つの凹部が、前記ラリンジアルマスク気道装置の長手方向軸に実質的に垂直な方向に前記バイトブロックの一辺に沿って延在する、請求項９２〜９５のいずれか一項に記載のラリンジアルマスク気道装置。
【請求項９７】
前記固定装置が、前記ラリンジアルマスク気道装置の長手方向長さに沿った第１の位置と第２の位置との間で移動可能であり、そこに解除可能に固定され得る、請求項９２〜９６のいずれか一項に記載のラリンジアルマスク気道装置。
【請求項９８】
前記マスクが適所にあるときに患者の食道に内視鏡を通すように適合された導管をさらに含み、前記導管が前記患者の食道括約筋と連携するための遠位端を含み、前記導管が、喉頭側、咽頭側、前記導管に対して右側及び左側、並びに出口を有する、請求項９２〜９７のいずれか一項に記載のラリンジアルマスク気道装置。
【請求項９９】
前記出口において、前記左側と前記右側との間の幅が前記導管の幅よりも狭い、請求項９８に記載のラリンジアルマスク気道装置。
【請求項１００】
前記出口において、前記咽頭側が前記喉頭側の近位で終端する、請求項９８又は９９に記載のラリンジアルマスク気道装置。
【請求項１０１】
前記出口において、前記導管壁の幅が狭まる、請求項９８〜１００のいずれか一項に記載のラリンジアルマスク気道装置。
【請求項１０２】
前記幅が前記出口の前記左側と前記右側とで狭まる、請求項１０１に記載のラリンジアルマスク気道装置。
【請求項１０３】
前記導管の前記遠位端が、前記導管の長手方向軸に対して約３０度の角度で設けられている、請求項９８〜１０２のいずれか一項に記載のラリンジアルマスク気道装置。
【請求項１０４】
前記導管が、その近位端に内部スリーブを含む、請求項９８〜１０３のいずれか一項に記載のラリンジアルマスク気道装置。
【請求項１０５】
コネクタをさらに含む、請求項６５〜１０４のいずれか一項に記載のラリンジアルマスク気道装置。
【請求項１０６】
前記スリーブが前記コネクタと一体的に形成されている、請求項１０４又は１０５に記載のラリンジアルマスク気道装置。
【請求項１０７】
少なくとも１つのエアウェイチューブと前記エアウェイチューブの一端で支持されたマスクとを含む、ラリンジアルマスク気道装置であって、前記マスクが、遠位端と、近位端と、喉頭口の外周の周囲にシールを形成するように患者の喉頭の背後の実際の潜在的な空間に順応し、前記空間の内部に収まることができる周辺形成物とを有し、前記周辺形成物が、前記マスクの中空内部空間又は内腔を取り囲み、前記少なくとも１つのエアウェイチューブが、前記マスクの内腔に開口しており、前記周辺形成物が、喉頭室側と咽頭側との間の分離を確立し、前記装置が、固定装置を複数の異なる位置で前記ラリンジアルマスク気道装置に解除可能に固定する再位置決め手段を含む前記固定装置をさらに含む、ラリンジアルマスク気道装置。
【請求項１０８】
ラリンジアルマスク気道装置と請求項１〜６４のいずれか一項に記載の固定装置とを含むキット。
【請求項１０９】
請求項１〜３２のいずれか一項に記載の固定装置をラリンジアルマスク気道装置に解除可能に固定する方法。
【請求項１１０】
請求項３３〜６４のいずれか一項に記載の固定装置を複数の異なる位置でラリンジアルマスク気道装置に対して再位置決めする方法。
【請求項１１１】
ラリンジアルマスク気道装置を形成する工程と、前記ラリンジアルマスク気道装置とは別に請求項１〜６４のいずれか一項に記載の固定装置を形成する工程とを含み、前記固定装置が前記ラリンジアルマスク気道装置に解除可能に固定されるように適合される、請求項６５〜１０７のいずれか一項に記載のラリンジアルマスク気道装置を製造する方法。
【請求項１１２】
ラリンジアルマスク気道装置を患者に挿入する方法であって、前記方法が、マスクを必要とされる位置まで挿入する工程と、前記ラリンジアルマスク気道装置の近位端に対して請求項１〜６４のいずれか一項に記載の解除可能な固定装置の位置を調整することによって前記マスクを前記必要とされる位置において固定する工程とを含む、方法。
【請求項１１３】
実質的に添付の図面を参照して本明細書に説明されているような固定装置。
【請求項１１４】
実質的に添付の図面を参照して本明細書に説明されているようなラリンジアルマスク気道装置。
【発明の詳細な説明】
【技術分野】
【０００１】
本発明は、固定装置に関し、より詳細には、ラリンジアルマスク気道装置と併用され得る固定装置に関する。
【背景技術】
【０００２】
ラリンジアルマスク気道装置などの人工気道装置は、意識不明の患者に気道を確保するのに有用な周知の装置である。ラリンジアルマスク気道装置は、その最も基本的な形態では、エアウェイチューブとエアウェイチューブの一端で支持されたマスクとからなり、マスクは、喉頭口の周囲にシールを形成するように、患者の喉頭の背後の実際の潜在的な空間に順応し、その内部に収まることができる、「カフ」と呼ばれることの多い周辺形成物を有する。カフは、膨張式とすることができ、大部分の変形例では、マスクの中空内部空間又は内腔を取り囲み、少なくとも１つのエアウェイチューブが内腔に開口している。米国特許第４５０９５１４号は、このようなラリンジアルマスク気道装置を記載している多くの文献のうちの１つである。ラリンジアルマスク気道装置を患者に挿入して気道を確保することは比較的容易である。また、ラリンジアルマスク気道装置は、不適切に挿入されても依然として気道を確保しようとする傾向があるという点で「寛容」な装置である。したがって、ラリンジアルマスク気道装置は、しばしば「救命」装置と考えられる。また、ラリンジアルマスク気道装置は、患者の頭部、頸部及び顎の比較的小さな操作だけで挿入され得る。さらに、ラリンジアルマスク気道装置は、気管の敏感な内側管壁との接触を必要とせずに患者の肺の換気を提供し、確保された気道のサイズは、通常、気管内チューブで確保された気道のサイズよりも著しく大きい。また、ラリンジアルマスク気道装置は、気管内チューブと同程度まで咳を妨げない。主にこれらの利点のために、ラリンジアルマスク気道装置の人気が近年ますます高まっている。
【０００３】
表現の便宜上、「完全挿入配置」という用語を、患者に挿入された、以下の特性を有するラリンジアルマスク気道装置を指すのに使用するものとする。（１）マスク部分の患者側端が、患者の通常閉じた食道括約筋に対して押し付けられる；（２）カフを膨らませて、患者の声門開口部の周囲にシールを形成する；並びに（３）エアウェイチューブが、患者の口の外側に位置する近位端から、マスク部分に連結された遠位部分まで延在し、チューブは、患者の口及び患者の自然な上気道を通って延在し、その結果、装置は、チューブの近位端から患者の肺まで延在する密閉された気道を提供する。
【０００４】
図１に、例えば欧州特許第２１６５７２７号に記載されている、先行技術の使い捨てラリンジアルマスク気道装置（３００）を示す。当該装置は、エアウェイチューブ上に配置されたタブ（３６０）を含み、当該タブは、タブと患者の頬とに接着テープ（５００）が貼り付けられるように位置する。当該テープは、装置を全体的に患者の体内へ付勢し、特に、装置の遠位端を患者の食道括約筋に対して付勢する力を加える。このような構成は、装置が挿入配置においてより安定して留まることを可能にし、逆流した物質が患者の肺に吸引される可能性を低減させる。特に、タブ（３６０）は、カフ（３３４）の遠位端（３３８）と患者の通常閉じた食道括約筋との間のしっかりとした接触を維持することを容易にする。
【０００５】
図２に、例えば国際公開公報第２００６／１２５９９０号に記載されている、先行技術の使い捨てラリンジアルマスク気道装置（１）を示す。当該装置は、エアウェイチューブの近位端に取り付けられた固定タブ（５）を含む。
【発明の概要】
【発明が解決しようとする課題】
【０００６】
先行技術の使い捨てラリンジアルマスク気道装置はうまく機能したが、改善された装置を提供する必要が依然として残っている。特に、装置が患者に挿入された後でより確実に完全挿入配置に留まる使い捨てラリンジアルマスク気道装置を提供する必要が依然として残っている。加えて、ラリンジアルマスク気道装置を患者に取り付けるより安全な手段を提供する必要もある。また、異なるサイズの気道を有する患者に装置を使用する際のより高い柔軟性を提供するために、エアウェイチューブの長手方向長さに沿った異なる位置に取り付けることができる固定装置を含む、使い捨てラリンジアルマスク気道装置を提供する必要もある。
【課題を解決するための手段】
【０００７】
第１の態様によれば、ラリンジアルマスク気道装置と併用するための固定装置であって、当該固定装置は、固定装置をラリンジアルマスク気道装置に解除可能に固定する解除可能なロック手段を含む、固定装置が提供される。
【０００８】
好ましくは、解除可能なロック手段は、第１の構成で、固定装置がラリンジアルマスク気道装置に固定されて適所にロックされ得、第２の構成で、固定装置がロック解除されてラリンジアルマスク気道装置から取り外され得るように構成されている。
【０００９】
本発明の利点は、ロック構成において、固定装置が、ラリンジアルマスク気道装置が患者に挿入された後でラリンジアルマスク気道装置を完全挿入配置に保持するのを助けることである。さらに、ラリンジアルマスク気道装置が患者の気道から取り外されると、固定装置はロック解除され得、ラリンジアルマスク気道装置から取り外され得る。解除可能なロック手段を有する固定装置の使用により、固定装置を複数のラリンジアルマスク気道装置と併用することが可能になり、よってより高い柔軟性が与えられる。本発明の固定装置はまた、有利には、異なるサイズの気道を有する患者においてラリンジアルマスク装置と併用され得る。
【００１０】
好ましくは、解除可能なロック手段は、第１の部分と第２の部分とを含み、この第１の部分と第２の部分とは相互に相手と係合可能である。好ましくは、解除可能なロック手段は、オス部分とメス部分とを含み、オス部分はメス部分と相互に係合可能である。このような相互に係合可能なオス部分及びメス部分を設けることは、固定装置のロック及び／又はロック解除を助け、ラリンジアルマスク気道装置の外面への固定装置の取り付け及び／又はラリンジアルマスク気道装置の外面からの固定装置の取り外しを容易にする。
【００１１】
好ましくは、第１の部分と第２の部分とはフックとアパーチャの組み合わせを構成し、フックはアパーチャと解除可能に係合することができる。フックとアパーチャの組み合わせを設けることにより、固定装置を容易にロック及び／又はロック解除する手段が提供され、よって、フックがアパーチャと係合するときの固定装置のラリンジアルマスク気道装置の外面への固定及び／又はフックとアパーチャの組み合わせが係合解除されるときの固定装置のラリンジアルマスク気道装置の外面からの取り外しの助けが得られる。一実施形態では、解除可能なロック手段は、ロック構成の方へ付勢され得る。一実施形態では、第１の部分と第２の部分とはフックと凹部の組み合わせを構成し、フックは、固定装置のロック及び／又はロック解除を容易にするために、凹部と解除可能に係合することができる。
【００１２】
好ましくは、解除可能なロック手段は、第１の部分と第２の部分のロック及び／又はロック解除を容易にするレバーを含む。好ましくは、レバーは、オス部分とメス部分のロック及び／又はロック解除を容易にするために設けられる。好ましくは、レバーは、ユーザがレバーを使用して固定装置をロック及び／又はロック解除し得るように、解除可能なロック手段の第１の部分、好ましくはオス部分から延在する。好ましくは、レバーは、解除可能なロック手段から弓状に外側に延在する。有利には、弓状の形状により、第１の部分と第２の部分のロック及び／又はロック解除を容易にするようにユーザがレバーに指を置くことが可能になる。典型的には、本発明の固定装置を使用するときに、特に、ユーザが固定装置を気道装置に対して不適切な位置に誤って位置決めし得る場合、例えば、ユーザに固定装置の最適な位置を決定した経験がない場合には、ユーザが気道装置の近位端に対して固定装置を再位置決めすることが必要となり得る。よって、レバーを設けることにより、有利には、固定装置の解除可能なロック手段のロック及び／又はロック解除時にユーザが第１の部分及び第２の部分を位置決め及び／又は再位置決めする際の助けが得られる。
【００１３】
好ましくは、固定装置は、ラリンジアルマスク気道装置の近位端の形状と符合する形状である。好ましくは、固定装置の内面は、ラリンジアルマスク気道装置の近位端の外面の形状に対応している。好ましくは、固定装置は、ラリンジアルマスク気道装置のバイトブロックの形状と符合する形状である。好ましくは、固定装置の内面は、ラリンジアルマスク気道装置のバイトブロックの外面の形状に対応している。一実施形態では、固定装置はリング形状を有し得る。好ましくは、固定装置のリング形状は、解除可能なロック手段が設けられる破断部を含む。好ましくは、レバーは破断部に隣接して位置決めされる。
【００１４】
好ましくは、固定装置は、ラリンジアルマスク気道装置の外面に、好ましくはその近位端で固定される。好ましくは、固定装置は、ラリンジアルマスク気道装置のバイトブロックの外面に固定される。好ましくは、ラリンジアルマスク気道装置の近位端は、装置のこの領域を強化する内部機構を含む。よって、固定装置をラリンジアルマスク気道装置の近位端に固定することには、ラリンジアルマスク気道装置のつぶれを回避するという利点がある。一実施形態では、内部強化機構はバイトブロックを含み得る。一実施形態では、内部強化機構は、ラリンジアルマスク気道装置内に、すなわちエアウェイチューブとガストロチューブとの間の接合部のところに設けられたエアウェイチューブとガストロチューブとを接合する材料を含み得る。
【００１５】
一実施形態では、解除可能なロック手段は、固定装置の一方の側に沿って設けられうる。
【００１６】
好ましくは、固定装置は、患者にラリンジアルマスク気道装置を固定するためにその周囲にストラップを解除可能に固定することができるストラップマウントを含む。ストラップマウントを含む固定装置を設けることは、ラリンジアルマスク気道装置が患者に挿入された後で装置を完全挿入配置により確実に固定する助けになる。好ましくは、ストラップは５００〜７００mmの長さ、より好ましくは５５０〜６５０mmの長さ、最も好ましくは約６５０mmの長さである。有利には、約６５０mmの長さのストラップを設けることにより、小さな患者から大きな患者に至るまで様々なサイズの患者にストラップを使用することができる。約６５０mmの長さのストラップを使用することにより、一部の患者には小さすぎる可能性があるより短いストラップ長の使用と関連付けられうる問題が克服される。
【００１７】
ストラップマウントは少なくとも１つのマウントバーを含むことが好ましい。典型的には、ストラップマウントは２つのマウントバーを含む。このような構成は、ストラップマウントに１つ以上のストラップを取り付ける助けになり、ラリンジアルマスク気道装置を患者に固定するのに役立つ。
【００１８】
好ましくは、少なくとも１つのマウントバーは、装置の長手方向軸に対して実質的に垂直な方向に延在する２つのアームの間に配置され、マウントバーは装置のどちらかの側に配置される。よって、ラリンジアルマスク気道装置は、完全挿入配置にあるときに適所により確実に保持される。
【００１９】
好ましくは、固定装置は、少なくとも１つのタブをさらに含む。好ましい実施形態では、固定装置は２つのタブを含む。好ましくは、固定装置は２つのタブを含み、各タブはマウントバー上に設けられる。少なくとも１つのタブはストラップ上に設けられたアパーチャと符合する形状であり、少なくとも１つのタブが、装置が患者の体内に挿入されたときにストラップを適所に保持するように設けられていることが好ましい。好ましくは、少なくとも１つのタブは、タブを頑丈にする寸法を有し、少なくとも１つのタブの破損を防止し、そして少なくとも１つのタブへのストラップの取り付けを容易にする。
【００２０】
好ましくは、ストラップは、タブ及び／又はストラップマウントへの取り付けのための複数の穴を含む。好ましくは、ストラップは、その長さに沿って１０〜３０個、好ましくは１５〜２５個、最も好ましくは約２０個の穴を含む。好ましくは、各穴は、タブのサイズと符合するサイズの直径を有する。好ましくは、各穴は、２〜６mm、好ましくは３〜５mm、最も好ましくは約４mmの直径を有する。
【００２１】
好ましくは、固定装置は、プラスチック材料を含む。一実施形態では、固定装置は、ポリ塩化ビニル又はシリコーンを含み得る。
【００２２】
固定装置は、１つ以上の異なる位置でラリンジアルマスク気道装置に対して固定装置を再位置決めする手段をさらに含むことが好ましい。よって、固定装置を、ラリンジアルマスク気道装置の外面に対して複数の位置で固定することができ、よって、装置を異なるサイズの気道を有する患者に適合させることができる。
【００２３】
好ましくは、再位置決めする手段は、ラリンジアルマスク気道装置の外面に設けられたメス部分と相互に係合可能な固定装置上に設けられたオス部分を含む。別の実施形態では、再位置決めする手段は、ラリンジアルマスク気道装置の外面に設けられたオス部分と相互に係合可能な固定装置に設けられたメス部分を含む。よって、固定装置は、ラリンジアルマスク気道装置の外面の異なる位置に解除可能に固定され得る。
【００２４】
好ましくは、再位置決めする手段は、固定装置の内面に設けられた少なくとも１つの隆起部を含む。典型的には、再位置決めする手段は、２つの隆起部を含む。
【００２５】
好ましくは、少なくとも１つの隆起部は、ラリンジアルマスク気道装置の外面に設けられた少なくとも１つの凹部と係合する。
【００２６】
典型的には、少なくとも１つの凹部は、ラリンジアルマスク気道装置のバイトブロックの外面に設けられる。
【００２７】
少なくとも１つの隆起部は、少なくとも１つの凹部と相互に係合可能であることが好ましい。よって、固定装置は、ラリンジアルマスク気道装置の外面の異なる位置に解除可能に固定され得る。
【００２８】
別の実施形態では、再位置決めする手段は、固定装置の内面に設けられた少なくとも１つの凹部と相互に係合可能であり得るラリンジアルマスク気道装置の外面に設けられた少なくとも１つの隆起部を含み得る。
【００２９】
好ましくは、少なくとも１つの凹部は、ラリンジアルマスク気道装置の長手方向軸と実質的に直角をなす方向にバイトブロックの一辺に沿って延在する。
【００３０】
好ましくは、固定装置は、ラリンジアルマスク気道装置の長手方向長さに沿って第１の位置と第２の位置との間を移動可能であり、そこに解除可能に固定され得る。
【００３１】
第２の態様によれば、ラリンジアルマスク気道装置と併用するための固定装置であって、当該固定装置は、固定装置を複数の異なる位置でラリンジアルマスク気道装置に解除可能に固定する解除可能な再位置決め手段を含む、固定装置が提供される。このような構成は、有利には、装置を異なるサイズの気道を有する患者のために適合させることを可能にする。
【００３２】
好ましくは、再位置決めする手段は、ラリンジアルマスク気道装置の外面に設けられたメス部分と相互に係合可能な固定装置上に設けられたオス部分を含む。別の実施形態では、再位置決めする手段は、ラリンジアルマスク気道装置の外面に設けられたオス部分と相互に係合可能な固定装置に設けられたメス部分を含む。よって、固定装置は、ラリンジアルマスク気道装置の外面の異なる位置に解除可能に固定され得る。
【００３３】
好ましくは、再位置決めする手段は、固定装置の内面に設けられた少なくとも１つの隆起部を含む。典型的には、再位置決めする手段は、２つの隆起部を含む。
【００３４】
好ましくは、少なくとも１つの隆起部は、ラリンジアルマスク気道装置の外面に設けられた少なくとも１つの凹部と係合する。
【００３５】
典型的には、少なくとも１つの凹部は、ラリンジアルマスク気道装置のバイトブロックの外面に設けられる。
【００３６】
好ましくは、少なくとも１つの隆起部は、少なくとも１つの凹部と相互に係合可能である。よって、固定装置は、ラリンジアルマスク気道装置の外面に対して異なる位置に解除可能に固定され得る。
【００３７】
別の実施形態では、再位置決めする手段は、固定装置の内面に設けられた少なくとも１つの凹部と相互に係合可能であり得るラリンジアルマスク気道装置の外面に設けられた少なくとも１つの隆起部を含み得る。
【００３８】
少なくとも１つの凹部は、ラリンジアルマスク気道装置の長手方向軸に実質的に垂直な方向にバイトブロックの一辺に沿って延在することが好ましい。
【００３９】
好ましくは、固定装置は、ラリンジアルマスク気道装置の長手方向長さに沿った第１の位置と第２の位置との間で移動可能であり、そこに解除可能に固定され得る。
【００４０】
固定装置は、第１の部分と第２の部分とを含む解除可能なロック手段をさらに含み、第１の部分と第２の部分とは相互に相手と係合可能であることが好ましい。
【００４１】
好ましくは、解除可能なロック手段は、第１の構成で、固定装置がラリンジアルマスク気道装置に固定されて適所にロックされ得、第２の構成で、固定装置がロック解除されてラリンジアルマスク気道装置から取り外され得るように構成されている。好ましくは、固定装置は、ラリンジアルマスク気道装置の外面に、好ましくはその近位端で固定される。好ましくは、ラリンジアルマスク気道装置の近位端は、装置のこの領域を強化する内部機構を含む。よって、固定装置をラリンジアルマスク気道装置の近位端に固定することには、ラリンジアルマスク気道装置のつぶれを回避するという利点がある。
【００４２】
解除可能なロック手段を含む固定装置の使用には、固定装置が、ロック構成において、ラリンジアルマスク気道装置が患者に挿入された後でラリンジアルマスク気道装置を完全挿入配置に保持することを補助するという利点がある。ラリンジアルマスク気道装置が患者の気道から取り外されると、固定装置はロック解除され、ラリンジアルマスク気道装置から取り外され得る。解除可能なロック手段を有する固定装置の使用により、固定装置を複数のラリンジアルマスク気道装置と併用することが可能になり、よってより高い柔軟性が与えられる。
【００４３】
好ましくは、解除可能なロック手段は、第１の部分と第２の部分とを含み、この第１の部分と第２の部分とは相互に相手と係合可能である。好ましくは、解除可能なロック手段は、オス部分とメス部分とを含み、このオス部分はメス部分と相互に係合可能である。このような相互に係合可能なオス部分及びメス部分を設けることは、固定装置のロック及び／又はロック解除を助け、ラリンジアルマスク気道装置の外面への固定装置の取り付け及び／又はラリンジアルマスク気道装置の外面からの固定装置の取り外しを容易にする。
【００４４】
好ましくは、第１の部分と第２の部分とはフックとアパーチャの組み合わせを構成し、フックはアパーチャと解除可能に係合することができる。このような構成は、固定装置のロック及び／又はロック解除を容易にし、よって、フックがアパーチャと係合するときのラリンジアルマスク気道装置への固定装置の固定及び／又はフックとアパーチャの組み合わせが係合解除されるときのラリンジアルマスク気道装置からの固定装置の取り外しの助けになる。一実施形態では、第１の部分と第２の部分とはフックと凹部の組み合わせを構成し、フックは凹部と解除可能に係合することができる。
【００４５】
好ましくは、解除可能なロック手段は、第１の部分と第２の部分のロック及び／又はロック解除を容易にするレバーを含む。好ましくは、レバーは、オス部分とメス部分のロック及び／又はロック解除を容易にするために設けられる。好ましくは、レバーは、ユーザがレバーを使用して固定装置をロック及び／又はロック解除し得るように、解除可能なロック手段の第１の部分、好ましくはオス部分から延在する。好ましくは、レバーは、解除可能なロック手段から弓状に外側に延在する。有利には、弓状の形状により、第１の部分と第２の部分のロック及び／又はロック解除を容易にするようにユーザがレバーに指を置くことが可能になる。典型的には、本発明の固定装置を使用するときに、特に、ユーザが固定装置を気道装置に対して不適切な位置に誤って位置決めし得る場合、例えば、ユーザに固定装置の最適な位置を決定した経験がない場合には、ユーザが気道装置の近位端に対して固定装置を再位置決めすることが必要となり得る。よって、レバーを設けることにより、有利には、固定装置の解除可能なロック手段のロック及び／又はロック解除時にユーザが第１の部分及び第２の部分を位置決め及び／又は再位置決めする際の助けが得られる。
【００４６】
好ましくは、固定装置は、ラリンジアルマスク気道装置の近位端の形状と符合する形状である。好ましくは、固定装置の内面は、ラリンジアルマスク気道装置の近位端の外面の形状に対応している。好ましくは、固定装置は、ラリンジアルマスク気道装置のバイトブロックの形状と符合する形状である。好ましくは、固定装置の内面は、ラリンジアルマスク気道装置のバイトブロックの外面の形状に対応している。一実施形態では、固定装置はリング形状を有し得る。好ましくは、固定装置のリング形状は、解除可能なロック手段が設けられる破断部を含む。好ましくは、レバーは破断部に隣接して位置決めされる。
【００４７】
一実施形態では、解除可能なロック手段は、固定装置の一方の側に沿って設けられうる。
【００４８】
典型的には、固定装置は、患者にラリンジアルマスク気道装置を固定するためにその周囲にストラップを取り外し可能に固定することができるストラップマウントを含む。ストラップマウントを含む固定装置を設けることは、ラリンジアルマスク気道装置が患者に挿入された後で装置を完全挿入配置により確実に固定する助けになる。好ましくは、ストラップは、５００〜７００mmの長さ、好ましくは５５０mm〜６５０mm、最も好ましくは約６５０mmの長さを有する。有利には、約６５０mmの長さのストラップを設けることにより、小さな患者から大きな患者に至るまで様々なサイズの患者にストラップを使用することができる。約６５０mmの長さのストラップを使用することにより、一部の患者には小さすぎる可能性があるより短いストラップ長の使用と関連付けられうる問題が克服される。
【００４９】
好ましくは、固定装置は、少なくとも１つのマウントバーを含む。固定装置は２つのマウントバーを含むことが好ましい。１つ又は２つのマウントバーを有するストラップマウントを設けることは、ストラップマウントに１つ以上のストラップを取り付ける助けになり、ラリンジアルマスク気道装置を患者に固定するのに役立つ。
【００５０】
好ましくは、少なくとも１つのバーは、装置の長手方向軸に対して実質的に垂直な方向に延在する２つのアームの間に配置され、マウントバーはラリンジアルマスク気道装置のどちらかの側に配置される。典型的には、少なくとも１つのマウントバーは、ラリンジアルマスク気道装置の近位端（すなわち、患者に最も近い装置の端部）に配置される。よって、ラリンジアルマスク気道装置は、患者の体内に挿入されたときに適所により確実に保持される。
【００５１】
好ましくは、固定装置は、少なくとも１つのタブをさらに含む。好ましい実施形態では、固定装置は２つのタブを含む。好ましくは、固定装置は２つのタブを含み、各タブはマウントバー上に設けられる。少なくとも１つのタブはストラップ上に設けられたアパーチャと符合する形状であり、少なくとも１つのタブが、装置が患者の体内に挿入されたときにストラップを適所に保持するように設けられていることが好ましい。好ましくは、少なくとも１つのタブは、タブを頑丈にする寸法を有し、少なくとも１つのタブの破損を防止し、そして少なくとも１つのタブへのストラップの取り付けを容易にする。
【００５２】
好ましくは、ストラップは、タブ及び／又はストラップマウントへの取り付けのための複数の穴を含む。好ましくは、ストラップは、その長さに沿って１０〜３０個、好ましくは１５〜２５個、最も好ましくは約２０個の穴を含む。好ましくは、各穴は、タブのサイズと符合するサイズの直径を有する。好ましくは、各穴は、２〜６mm、好ましくは３〜５mm、最も好ましくは約４mmの直径を有する。
【００５３】
好ましくは、固定装置は、プラスチック材料を含む。一実施形態では、固定装置は、ポリ塩化ビニル又はシリコーンを含む。
【００５４】
第３の態様によれば、少なくとも１つのエアウェイチューブと少なくとも１つのエアウェイチューブの一端で支持されたマスクとを含むラリンジアルマスク気道装置であって、マスクは、遠位端と、近位端と、喉頭口の外周の周囲にシールを形成するように患者の喉頭の背後の実際の潜在的な空間に順応し、その内部に収まることができる周辺形成物とを有し、周辺形成物は、マスクの中空内部空間又は内腔を取り囲み、少なくとも１つのエアウェイチューブは、マスクの内腔に開口しており、周辺形成物は、喉頭室側と咽頭側との間の分離を確立し、本装置は、ストラップマウントを本装置に解除可能に固定する解除可能なロック手段を含む固定装置をさらに含む、ラリンジアルマスク気道装置が提供される。
【００５５】
好ましくは、解除可能なロック手段は、第１の構成で、固定装置がラリンジアルマスク気道装置に固定されて適所にロックされ得、第２の構成で、固定装置がロック解除されてラリンジアルマスク気道装置から取り外され得るように構成されている。好ましくは、固定装置は、ラリンジアルマスク気道装置の外面に、好ましくはその近位端で固定される。好ましくは、ラリンジアルマスク気道装置の近位端は、装置のこの領域を強化する内部機構を含む。よって、固定装置をラリンジアルマスク気道装置の近位端に固定することには、ラリンジアルマスク気道装置のつぶれを回避するという利点がある。
【００５６】
よって、第１の構成で、固定装置はラリンジアルマスク気道装置に固定されて適所にロックされ得、第２の構成で、固定装置はロック解除されてラリンジアルマスクから取り外され得る。本発明の利点は、ロック構成において、固定装置が、ラリンジアルマスク気道装置が患者に挿入された後でラリンジアルマスク気道装置を完全挿入配置に保持する助けになることである。さらに、ラリンジアルマスク気道装置が患者の気道から取り外されると、固定装置はロック解除され、ラリンジアルマスク気道装置から取り外される。解除可能なロック手段を有する固定装置の使用により、固定装置を複数のラリンジアルマスク気道装置と併用することが可能になり、よってより高い柔軟性が与えられ、有利には、ラリンジアルマスク気道装置の患者への安全な取り付けが可能になる。
【００５７】
好ましくは、解除可能なロック手段は、第１の部分と第２の部分とを含み、この第１の部分と第２の部分とは相互に相手と係合可能である。好ましくは、解除可能なロック手段は、オス部分とメス部分とを含み、オス部分はメス部分と相互に係合可能である。このような相互に係合可能なオス部分及びメス部分を設けることは、固定装置のロック及び／又はロック解除を助け、ラリンジアルマスク気道装置の外面への固定装置の取り付け及び／又はラリンジアルマスク気道装置の外面からの固定装置の取り外しを容易にする。
【００５８】
好ましくは、第１の部分と第２の部分とはフックとアパーチャの組み合わせを構成し、フックはアパーチャと解除可能に係合することができる。フックとアパーチャの組み合わせを設けることにより、固定装置を容易にロック及び／又はロック解除する手段が提供され、よって、フックがアパーチャと係合するときに固定装置をラリンジアルマスク気道装置の外面へ固定すること及び／又はフックとアパーチャの組み合わせが係合解除されるときに固定装置をラリンジアルマスク気道装置の外面から取り外しすることの助けが得られる。一実施形態では、解除可能なロック手段は、ロック構成の方へ付勢され得る。一実施形態では、第１の部分と第２の部分とはフックと凹部の組み合わせを構成し、フックは凹部と解除可能に係合することができる。
【００５９】
好ましくは、解除可能なロック手段は、第１の部分と第２の部分のロック及び／又はロック解除を容易にするレバーを含む。好ましくは、レバーは、オス部分とメス部分のロック及び／又はロック解除を容易にするために設けられる。好ましくは、レバーは、ユーザがレバーを使用して固定装置をロック及び／又はロック解除し得るように、解除可能なロック手段の第１の部分、好ましくはオス部分から延在する。好ましくは、レバーは、解除可能なロック手段から弓状に外側に延在する。有利には、弓状の形状により、第１の部分と第２の部分のロック及び／又はロック解除を容易にするようにユーザがレバーに指を置くことが可能になる。典型的には、本発明の固定装置を使用するときに、特に、ユーザが固定装置を気道装置に対して不適切な位置に誤って位置決めし得る場合、例えば、ユーザに固定装置の最適な位置を決定した経験がない場合には、ユーザが気道装置の近位端に対して固定装置を再位置決めすることが必要となり得る。よって、レバーを設けることにより、有利には、固定装置の解除可能なロック手段のロック及び／又はロック解除時にユーザが第１の部分及び第２の部分を位置決め及び／又は再位置決めする際の助けが得られる。
【００６０】
好ましくは、固定装置は、ラリンジアルマスク気道装置の近位端の形状と符合する形状である。好ましくは、固定装置の内面は、ラリンジアルマスク気道装置の近位端の外面の形状に対応している。好ましくは、固定装置は、ラリンジアルマスク気道装置のバイトブロックの形状と符合する形状である。好ましくは、固定装置の内面は、ラリンジアルマスク気道装置のバイトブロックの外面の形状に対応している。一実施形態では、固定装置はリング形状を有し得る。好ましくは、固定装置のリング形状は、解除可能なロック手段が設けられる破断部を含む。好ましくは、レバーは破断部に隣接して位置決めされる。
【００６１】
一実施形態では、解除可能なロック手段は、固定装置の一方の側に沿って設けられうる。
【００６２】
好ましくは、固定装置は、患者にラリンジアルマスク気道装置を固定するためにその周囲にストラップを取り外し可能に固定することができるストラップマウントを含む。ストラップマウントを含む固定装置を設けることは、ラリンジアルマスク気道装置が患者に挿入された後で装置を完全挿入配置により確実に固定する助けになる。好ましくは、ストラップは、５００〜７００mmの長さ、好ましくは５５０mm〜６５０mm、最も好ましくは約６５０mmの長さを有する。有利には、約６５０mmの長さのストラップを設けることにより、小さな患者から大きな患者に至るまで様々なサイズの患者にストラップを使用することができる。約６５０mmの長さのストラップを使用することにより、有利には、一部の患者には小さすぎる場合があるより短いストラップ長の使用と関連付けられうる問題が克服される。
【００６３】
ストラップマウントは少なくとも１つのマウントバーを含むことが好ましい。典型的には、ストラップマウントは２つのマウントバーを含む。このような構成は、ストラップマウントに１つ以上のストラップを取り付ける助けになり、ラリンジアルマスク気道装置を患者に固定するのに役立つ。
【００６４】
好ましくは、少なくとも１つのマウントバーは、装置の長手方向軸に対して実質的に垂直な方向に延在する２つのアームの間に配置され、マウントバーは装置のどちらかの側に配置される。よって、ラリンジアルマスク気道装置は、完全挿入配置にあるときに適所により確実に保持される。
【００６５】
好ましくは、固定装置は、少なくとも１つのタブをさらに含む。好ましい実施形態では、固定装置は２つのタブを含む。好ましくは、固定装置は２つのタブを含み、各タブはマウントバー上に設けられる。少なくとも１つのタブはストラップ上に設けられたアパーチャと符合する形状であり、少なくとも１つのタブが、装置が患者の体内に挿入されたときにストラップを適所に保持するように設けられていることが好ましい。好ましくは、少なくとも１つのタブは、タブを頑丈にする寸法を有し、少なくとも１つのタブの破損を防止し、そして少なくとも１つのタブへのストラップの取り付けを容易にする。
【００６６】
好ましくは、ストラップは、タブ及び／又はストラップマウントへの取り付けのための複数の穴を含む。好ましくは、ストラップは、その長さに沿って１０〜３０個、好ましくは１５〜２５個、最も好ましくは約２０個の穴を含む。好ましくは、各穴は、タブのサイズと符合するサイズの直径を有する。好ましくは、各穴は、２〜６mm、好ましくは３〜５mm、最も好ましくは約４mmの直径を有する。
【００６７】
好ましくは、固定装置は、プラスチック材料を含む。一実施形態では、固定装置は、ポリ塩化ビニル又はシリコーンを含み得る。
【００６８】
好ましくは、固定装置は、固定装置を複数の異なる位置でラリンジアルマスク気道装置に解除可能に固定する解除可能な再位置決め手段を含む。このような構成は、異なるサイズの気道を有する患者におけるラリンジアルマスク気道装置の使用の助けになる。
【００６９】
好ましくは、再位置決めする手段は、ラリンジアルマスク気道装置の外面に設けられたメス部分と相互に係合可能な固定装置上に設けられたオス部分を含む。別の実施形態では、再位置決めする手段は、ラリンジアルマスク気道装置の外面に設けられたオス部分と相互に係合可能な固定装置に設けられたメス部分を含む。よって、固定装置は、ラリンジアルマスク気道装置の外面の異なる位置に解除可能に固定され得る。
【００７０】
好ましくは、再位置決めする手段は、固定装置の内面に設けられた少なくとも１つの隆起部を含む。典型的には、再位置決めする手段は、２つの隆起部を含む。
【００７１】
好ましくは、少なくとも１つの隆起部は、ラリンジアルマスク気道装置の外面に設けられた少なくとも１つの凹部と係合する。
【００７２】
典型的には、少なくとも１つの凹部は、ラリンジアルマスク気道装置のバイトブロックの外面に設けられる。
【００７３】
好ましくは、少なくとも１つの隆起部は、少なくとも１つの凹部と相互に係合可能である。よって、固定装置は、ラリンジアルマスク気道装置の外面に対して異なる位置に解除可能に固定され得る。
【００７４】
別の実施形態では、再位置決めする手段は、固定装置の内面に設けられた少なくとも１つの凹部と相互に係合可能であり得る、ラリンジアルマスク気道装置の外面に設けられた少なくとも１つの隆起部を含み得る。
【００７５】
少なくとも１つの凹部は、ラリンジアルマスク気道装置の長手方向軸に実質的に垂直な方向にバイトブロックの一辺に沿って延在することが好ましい。
【００７６】
好ましくは、固定装置は、ラリンジアルマスク気道装置の長手方向長さに沿った第１の位置と第２の位置との間で移動可能であり、そこに解除可能に固定され得る。
【００７７】
好ましくは、ラリンジアルマスク気道装置は、マスクが適所にあるときに患者の食道に内視鏡を通すように適合された導管をさらに含む。導管は、患者の食道括約筋と連携するための遠位端を含み、導管は、喉頭側、咽頭側、導管に対して右側及び左側、並びに出口を有する。よって、本発明のラリンジアルマスク気道装置では、患者の食道括約筋と導管の遠位端との間の緊密な連携を提供することによって、患者の体内で気道を確保するという利点と、内視鏡検査によって引き起こされ得る逆流や嘔吐から気道を保護するという利点が組み合わされる。よって、本発明の装置は有利には、患者の食道内に内視鏡を安全かつ正確に挿入すると同時に、患者の体内に気道を確保するのを支援する。
【００７８】
好ましくは、出口において、左側と右側との間の幅は導管の幅よりも狭い。
【００７９】
好ましくは、出口において、咽頭側は喉頭側の近位で終端する。
【００８０】
好ましくは、出口において、導管壁の幅は狭まる。通常、この幅は出口の左側と右側とで狭まる。
【００８１】
導管の遠位端は、導管の長手方向軸に対して約３０度の角度で設けられることが好ましい。
【００８２】
好ましくは、導管は、その近位端に内部スリーブを含む。
【００８３】
好ましくは、ラリンジアルマスク気道装置は、コネクタをさらに含む。典型的には、スリーブはコネクタと一体的に形成されている。
【００８４】
好ましくは、導管は大きな内径を有する。典型的には、導管は、ラリンジアルマスク気道装置のサイズに応じて、約５〜２５mm、より典型的には約１０〜２０mm、最も典型的には約１５mmの直径を有する。導管の直径は、有利には、内視鏡を導管に通すことを可能にする。よって、導管は、典型的には、外科医が患者の上部消化管を見るための「操作用経路」を形成する。加えて、導管の直径を、患者の解剖学的構造に応じて変化させてもよい。好ましくは、導管の半径方向の壁厚は、約１〜２mmである。
【００８５】
典型的には、本発明のラリンジアルマスク気道装置は、装置の挿入を誘導するカフの先端によって上部食道括約筋に挿入される。さらに、装置の先端の遠位柔軟性は、装置の挿入時に患者の咽喉の後方湾曲に追従するのを補助することができ、患者の咽喉の外傷を減少させる。
【００８６】
内視鏡と組み合わせて本発明によるラリンジアルマスク気道装置を使用すると、内視鏡単独で使用するよりも安全であり、有利には、内視鏡を患者の食道内により長時間にわたって挿入することができる。
【００８７】
典型的には、周辺形成物は膨張式であり得る。好ましくは、周辺形成物は膨張式カフを含む。典型的には、カフは、患者の喉頭の背後の実際の潜在的な空間に順応し、その内部に収まることができ、喉頭口の周囲にシールを形成するよ。典型的には、カフは、近位端から遠位端まで延在する。
【００８８】
第４の態様によれば、少なくとも１つのエアウェイチューブと少なくとも１つのエアウェイチューブの一端で支持されたマスクとを含むラリンジアルマスク気道装置であって、マスクは、遠位端と、近位端と、喉頭口の外周の周囲にシールを形成するように患者の喉頭の背後の実際の潜在的な空間に順応し、その内部に収まることができる周辺形成物とを有し、周辺形成物は、マスクの中空内部空間又は内腔を取り囲み、少なくとも１つのエアウェイチューブは、マスクの内腔に開口しており、周辺形成物は、喉頭室側と咽頭側との間の分離を確立し、本装置は、固定装置を複数の異なる位置でラリンジアルマスク気道装置に解除可能に固定する解除可能な再位置決め手段を含む固定装置をさらに含む、ラリンジアルマスク気道装置が提供される。このような構成は、有利には、装置を異なるサイズの気道を有する患者のために適合させることを可能にする。
【００８９】
好ましくは、再位置決めする手段は、ラリンジアルマスク気道装置の外面に設けられたメス部分と相互に係合可能な固定装置上に設けられたオス部分を含む。別の実施形態では、再位置決めする手段は、ラリンジアルマスク気道装置の外面に設けられたオス部分と相互に係合可能な固定装置に設けられたメス部分を含む。よって、固定装置は、ラリンジアルマスク気道装置の外面の異なる位置に解除可能に固定され得る。
【００９０】
好ましくは、再位置決めする手段は、固定装置の内面に設けられた少なくとも１つの隆起部を含む。典型的には、再位置決めする手段は、２つの隆起部を含む。
【００９１】
好ましくは、少なくとも１つの隆起部は、ラリンジアルマスク気道装置の外面に設けられた少なくとも１つの凹部と係合する。
【００９２】
典型的には、少なくとも１つの凹部は、ラリンジアルマスク気道装置のバイトブロックの外面に設けられる。
【００９３】
好ましくは、少なくとも１つの隆起部は、少なくとも１つの凹部と相互に係合可能である。よって、固定装置は、ラリンジアルマスク気道装置の外面に対して異なる位置に解除可能に固定され得る。
【００９４】
別の実施形態では、再位置決めする手段は、固定装置の内面に設けられた少なくとも１つの凹部と相互に係合可能であり得るラリンジアルマスク気道装置の外面に設けられた少なくとも１つの隆起部を含み得る。
【００９５】
少なくとも１つの凹部は、ラリンジアルマスク気道装置の長手方向軸に実質的に垂直な方向にバイトブロックの一辺に沿って延在することが好ましい。
【００９６】
好ましくは、固定装置は、ラリンジアルマスク気道装置の長手方向長さに沿った第１の位置と第２の位置との間で移動可能であり、そこに解除可能に固定され得る。
【００９７】
固定装置は、第１の部分と第２の部分とを含む解除可能なロック手段をさらに含むことが好ましく、第１の部分と第２の部分とは相互に相手と係合可能であることが好ましい。
【００９８】
好ましくは、解除可能なロック手段は、第１の構成で、固定装置がラリンジアルマスク気道装置に固定されて適所にロックされ得、第２の構成で、固定装置がロック解除されてラリンジアルマスク気道装置から取り外され得るように構成されている。好ましくは、固定装置は、ラリンジアルマスク気道装置の外面に、好ましくはその近位端で固定される。好ましくは、ラリンジアルマスク気道装置の近位端は、装置のこの領域を強化する内部機構を含む。よって、固定装置をラリンジアルマスク気道装置の近位端に固定することには、ラリンジアルマスク気道装置のつぶれを回避するという利点がある。
【００９９】
解除可能なロック手段を含む固定装置の使用には、固定装置が、ロック構成において、ラリンジアルマスク気道装置が患者に挿入された後でラリンジアルマスク気道装置を完全挿入配置に保持することを補助するという利点がある。ラリンジアルマスク気道装置が患者の気道から取り外されると、固定装置はロック解除され、ラリンジアルマスク気道装置から取り外され得る。解除可能なロック手段を有する固定装置の使用により、固定装置を複数のラリンジアルマスク気道装置と併用することが可能になり、よってより高い柔軟性が与えられ、有利には、ラリンジアルマスク気道装置の患者への安全な取り付けが可能になる。
【０１００】
好ましくは、解除可能なロック手段は、第１の部分と第２の部分とを含み、第１の部分と第２の部分とは相互に相手と係合可能である。好ましくは、解除可能なロック手段は、オス部分とメス部分とを含み、オス部分はメス部分と相互に係合可能である。このような相互に係合可能なオス部分及びメス部分を設けることは、固定装置のロック及び／又はロック解除を助け、ラリンジアルマスク気道装置の外面への固定装置の取り付け及び／又はラリンジアルマスク気道装置の外面からの固定装置の取り外しを容易にする。
【０１０１】
好ましくは、第１の部分と第２の部分とはフックとアパーチャの組み合わせを構成し、フックはアパーチャと解除可能に係合することができる。このような構成は、固定装置のロック及び／又はロック解除を容易にし、よって、フックがアパーチャと係合するときの固定装置のラリンジアルマスク気道装置への固定及び／又はフックとアパーチャの組み合わせが係合解除されるときの固定装置のラリンジアルマスク気道装置からの取り外しの助けになる。一実施形態では、第１の部分と第２の部分とはフックと凹部の組み合わせを構成し、フックは凹部と解除可能に係合することができる。
【０１０２】
好ましくは、解除可能なロック手段は、第１の部分と第２の部分のロック及び／又はロック解除を容易にするレバーを含む。好ましくは、レバーは、オス部分とメス部分のロック及び／又はロック解除を容易にするために設けられる。好ましくは、レバーは、ユーザがレバーを使用して固定装置をロック及び／又はロック解除し得るように、解除可能なロック手段の第１の部分、好ましくはオス部分から延在する。好ましくは、レバーは、解除可能なロック手段から弓状に外側に延在する。有利には、弓状の形状により、第１の部分と第２の部分のロック及び／又はロック解除を容易にするようにユーザがレバーに指を置くことが可能になる。典型的には、本発明の固定装置を使用するときに、特に、ユーザが固定装置を気道装置に対して不適切な位置に誤って位置決めし得る場合、例えば、ユーザに固定装置の最適な位置を決定した経験がない場合には、ユーザが気道装置の近位端に対して固定装置を再位置決めすることが必要となり得る。よって、レバーを設けることにより、有利には、固定装置の解除可能なロック手段のロック及び／又はロック解除時にユーザが第１の部分及び第２の部分を位置決め及び／又は再位置決めする際の助けが得られる。
【０１０３】
好ましくは、固定装置は、ラリンジアルマスク気道装置の近位端の形状と符合する形状である。好ましくは、固定装置の内面は、ラリンジアルマスク気道装置の近位端の外面の形状に対応している。好ましくは、固定装置は、ラリンジアルマスク気道装置のバイトブロックの形状と符合する形状である。好ましくは、固定装置の内面は、ラリンジアルマスク気道装置のバイトブロックの外面の形状に対応している。一実施形態では、固定装置はリング形状を有し得る。好ましくは、固定装置のリング形状は、解除可能なロック手段が設けられる破断部を含む。好ましくは、レバーは破断部に隣接して位置決めされる。
【０１０４】
一実施形態では、解除可能なロック手段は、固定装置の一方の側に沿って設けられうる。
【０１０５】
典型的には、固定装置は、患者にラリンジアルマスク気道装置を固定するためにその周囲にストラップを取り外し可能に固定することができるストラップマウントを含む。ストラップマウントを含む固定装置を設けることは、ラリンジアルマスク気道装置が患者に挿入された後で装置を完全挿入配置により確実に固定する助けになる。好ましくは、ストラップは、５００〜７００mmの長さ、好ましくは５５０mm〜６５０mm、最も好ましくは約６５０mmの長さを有する。有利には、約６５０mmの長さのストラップを設けることにより、小さな患者から大きな患者に至るまで様々なサイズの患者にストラップを使用することができる。約６５０mmの長さのストラップを使用することにより、一部の患者には小さすぎる可能性があるより短いストラップ長の使用と関連付けられうる問題が克服される。
【０１０６】
好ましくは、固定装置は、少なくとも１つのマウントバーを含む。固定装置は２つのマウントバーを含むことが好ましい。１つ又は２つのマウントバーを有するストラップマウントを設けることは、ストラップマウントに１つ以上のストラップを取り付ける助けになり、ラリンジアルマスク気道装置を患者に固定するのに役立つ。
【０１０７】
好ましくは、少なくとも１つのバーは、装置の長手方向軸に対して実質的に垂直な方向に延在する２つのアームの間に配置され、マウントバーはラリンジアルマスク気道装置のどちらかの側に配置される。典型的には、少なくとも１つのマウントバーは、ラリンジアルマスク気道装置の近位端（すなわち、患者に最も近い装置の端部）に配置される。よって、ラリンジアルマスク気道装置は、患者の体内に挿入されたときに適所により確実に保持される。
【０１０８】
好ましくは、固定装置は、少なくとも１つのタブをさらに含む。好ましい実施形態では、固定装置は２つのタブを含む。好ましくは、固定装置は２つのタブを含み、各タブはマウントバー上に設けられる。少なくとも１つのタブはストラップ上に設けられたアパーチャと符合する形状であり、少なくとも１つのタブが、装置が患者の体内に挿入されたときにストラップを適所に保持するように設けられていることが好ましい。好ましくは、少なくとも１つのタブは、タブを頑丈にする寸法を有し、少なくとも１つのタブの破損を防止し、そして少なくとも１つのタブへのストラップの取り付けを容易にする。
【０１０９】
好ましくは、ストラップは、タブ及び／又はストラップマウントへの取り付けのための複数の穴を含む。好ましくは、ストラップは、その長さに沿って１０〜３０個、好ましくは１５〜２５個、最も好ましくは約２０個の穴を含む。好ましくは、各穴は、タブのサイズと符合するサイズの直径を有する。好ましくは、各穴は、２〜６mm、好ましくは３〜５mm、最も好ましくは約４mmの直径を有する。
【０１１０】
好ましくは、固定装置は、プラスチック材料を含む。一実施形態では、固定装置は、ポリ塩化ビニル又はシリコーンを含む。
【０１１１】
好ましくは、ラリンジアルマスク気道装置は、マスクが適所にあるときに患者の食道に内視鏡を通すように適合された導管をさらに含み、導管は患者の食道括約筋と連携するための遠位端を含み、導管は喉頭側、咽頭側、導管に対して右側及び左側、並びに出口を有する。よって、本発明のラリンジアルマスク気道装置では、患者の食道括約筋と導管の遠位端との間の緊密な連携を提供することによって患者の体内で気道を確保するという利点と、内視鏡検査によって引き起こされ得る逆流や嘔吐から気道を保護するという利点が組み合わされる。よって、本発明の装置は有利には、患者の食道内に内視鏡を安全かつ正確に挿入すると同時に、患者の体内に気道を確保するのを支援する。
【０１１２】
好ましくは、出口において、左側と右側との間の幅は導管の幅よりも狭い。
【０１１３】
好ましくは、出口において、咽頭側は喉頭側の近位で終端する。
【０１１４】
好ましくは、出口において、導管壁の幅は狭まる。通常、この幅は出口の左側と右側とで狭まる。
【０１１５】
導管の遠位端は、導管の長手方向軸に対して約３０度の角度で設けられることが好ましい。
【０１１６】
好ましくは、導管は、その近位端に内部スリーブを含む。
【０１１７】
好ましくは、ラリンジアルマスク気道装置は、コネクタをさらに含む。  典型的には、スリーブはコネクタと一体的に形成されている。
【０１１８】
好ましくは、導管は大きな内径を有する。典型的には、導管は、ラリンジアルマスク気道装置のサイズに応じて、約５〜２５mm、より典型的には約１０〜２０mm、最も典型的には約１５mmの直径を有する。導管の直径は、有利には、内視鏡を導管に通すことを可能にする。よって、導管は、典型的には、外科医が患者の上部消化管を見るための「操作用経路」を形成する。加えて、導管の直径を、患者の解剖学的構造に応じて変化させてもよい。好ましくは、導管の半径方向の壁厚は、約１〜２mmである。
【０１１９】
典型的には、本発明のラリンジアルマスク気道装置は、装置の挿入を誘導するカフの先端によって上部食道括約筋に挿入される。さらに、装置の先端の遠位柔軟性は、装置の挿入時に患者の咽喉の後方湾曲に追従するのを補助することができ、患者の咽喉の外傷を減少させる。
【０１２０】
内視鏡と組み合わせて本発明によるラリンジアルマスク気道装置を使用すると、内視鏡単独で使用するよりも安全であり、有利には、内視鏡を患者の食道内により長時間にわたって挿入することができる。
【０１２１】
典型的には、周辺形成物は膨張式であり得る。好ましくは、周辺形成物は膨張式カフを含む。典型的には、カフは、喉頭口の周囲にシールを形成するように、患者の喉頭の背後の実際の潜在的な空間に順応し、その内部に収まることができる。典型的には、カフは、近位端から遠位端まで延在する。
【０１２２】
第５の態様によれば、ラリンジアルマスク気道装置と本発明の第１の態様及び／又は第２の態様による固定装置とを含むキットが提供される。
【０１２３】
第６の態様によれば、第１の態様の固定装置をラリンジアルマスク気道装置に解除可能に固定する方法が提供される。
【０１２４】
第７の態様によれば、第２の態様の固定装置を複数の異なる位置でラリンジアルマスク気道装置に再位置決めする方法が提供される。
【０１２５】
第８の態様によれば、第３の態様及び／又は第４の態様によるラリンジアルマスク気道装置を製造する方法であって、ラリンジアルマスク気道装置を形成する工程と、ラリンジアルマスク気道装置とは別に第１の態様及び／又は第２の態様による固定装置を形成する工程とを含み、固定装置が、ラリンジアルマスク気道装置に解除可能に固定されるように適合される、方法が提供される。
【０１２６】
第９の態様によれば、ラリンジアルマスク気道装置を患者に挿入する方法が提供され、本方法は、マスクを必要とされる位置まで挿入する工程と、装置のエアウェイチューブに関連して第１の態様及び／又は第２の態様の解除可能な固定装置の位置を調整することによってマスクを必要とされる位置において固定する工程とを含む。
【図面の簡単な説明】
【０１２７】
本発明を、例として以下の図面を参照してさらに説明する。
【図１】装置を患者に固定するタブを含む先行技術の使い捨てラリンジアルマスク気道装置の概略側面図を示す。
【図２】固定装置を含む先行技術の使い捨てラリンジアルマスク気道装置の斜視図を示す。
【図３ａ】固定装置がロック構成にある本発明の一実施形態による固定装置の平面図を示す。
【図３ｂ】固定装置がロック構成にある本発明の一実施形態による固定装置の一部の斜視図を示す。
【図３ｃ】固定装置がロック構成にある本発明の一実施形態による固定装置の斜視側面図を示す。
【図４ａ】固定装置がロック解除構成にある本発明の一実施形態による固定装置の平面図を示す。
【図４ｂ】固定装置がロック解除構成にある本発明の一実施形態による固定装置の一部の斜視側面図である。
【図５】本発明の一実施形態による固定装置を含むラリンジアルマスク気道装置の斜視側面図である。
【図６】固定装置なしの本発明によるラリンジアルマスク気道装置の近位端の斜視側面図である。
【図７】固定装置ありの本発明によるラリンジアルマスク気道装置の近位端の斜視正面図である。
【図８】装置を患者に固定するためのストラップと組み合わせた本発明によるラリンジアルマスク気道装置の斜視正面図である。
【図９ａ】固定装置がロック解除構成にある本発明の一実施形態による固定装置の一部の斜視図である。
【図９ｂ】固定装置がロック解除構成にある本発明の第２の実施形態による固定装置の一部の斜視図である。
【図１０】固定装置がロック構成にある本発明の第２の実施形態による固定装置の平面正面図である。
【図１１】固定装置がロック構成にある本発明の第２の実施形態による固定装置の斜視図である。
【図１２】固定装置がロック解除構成にある本発明の第２の実施形態による固定装置の斜視図である。
【図１３】固定装置がロック構成にある本発明の第２の実施形態による固定装置の平面背面図である。
【図１４】固定装置がロック構成にある本発明の第２の実施形態による固定装置を含むラリンジアルマスク気道装置の正面図である。
【図１５】固定装置がロック構成にある本発明の第２の実施形態による固定装置を含むラリンジアルマスク気道装置の背面図である。
【図１６】本発明の一実施形態によるタブを含むストラップマウントの平面図である。
【図１７】本発明の固定装置と併用され得るストラップの一部の平面図である。
【発明を実施するための形態】
【０１２８】
図３、図４及び図５に関連して、ラリンジアルマスク気道装置（１０）と併用するための固定装置（８）が提供され、固定装置（８）は、固定装置をラリンジアルマスク気道装置に解除可能に固定する解除可能なロック手段（１２）を含む。
【０１２９】
よって、解除可能なロック手段（１２）は、第１の構成で、固定装置（８）がラリンジアルマスク気道装置（１０）に固定されて適所にロックされ得、第２の構成で、固定装置（８）がロック解除されてラリンジアルマスク気道装置（１０）から取り外され得るように構成される。図５に示す実施形態では、固定装置（８）は、ラリンジアルマスク気道装置（１０）の近位端でバイトブロック（３０）の外面に固定される。好ましくは、ラリンジアルマスク気道装置の近位端は、装置のこの領域を強化する内部機構を含む。よって、固定装置をラリンジアルマスク気道装置の近位端に固定することには、ラリンジアルマスク気道装置のつぶれを回避するという利点がある。内部強化手段は、バイトブロックの一部を含むことが好ましい。一実施形態では、内部強化手段は、装置のガストロチューブとエアウェイチューブとの間の接合部を含み得る。
【０１３０】
よって、固定装置（８）を（例えば、図５に示すように）ラリンジアルマスク気道装置（１０）に固定し、（図３ａ、図３ｂ及び図３ｃに示すように）第１の構成で適所にロックし、（図４ａ及び図４ｂに示すように）第２の構成でロック解除し、ラリンジアルマスク気道装置（１０）から取り外すことができる。解除可能なロック手段（１２）を含む固定装置（８）の使用には、固定装置が、ロック位置において、ラリンジアルマスク気道装置が患者に挿入された後でラリンジアルマスク気道装置を完全挿入配置に保持することを補助するという利点がある。ラリンジアルマスク気道装置（１０）が患者の気道から取り外されると、固定装置（８）はロック解除され、ラリンジアルマスク気道装置から取り外される。したがって、固定装置の使用により、ラリンジアルマスク気道装置の患者への安全な取り付けが可能になり、また有利には、固定装置を複数のラリンジアルマスク気道装置と併用することも可能になり、よってより高い柔軟性が与えられる。
【０１３１】
解除可能なロック手段（１２）は、オス部分（１４）とメス部分（１６）とを含み、オス部分はメス部分と相互に係合可能である。このような相互に係合可能なオス部分及びメス部分を設けることは、固定装置（８）のロック及び／又はロック解除を助け、ラリンジアルマスク気道装置（１０）への固定装置（８）の取り付け及び／又はラリンジアルマスク気道装置（１０）の外面からの固定装置の取り外しを容易にする。
【０１３２】
図３及び図４に示す実施形態では、オス部分とメス部分とはフック（１４）とアパーチャ（１６）の組み合わせを構成し、フックはアパーチャと解除可能に係合することができる。このような構成は、固定装置のロック及び／又はロック解除を容易にし、よって、フックがアパーチャと係合するときの固定装置のラリンジアルマスク気道装置への固定及び／又はフックとアパーチャの組み合わせが係合解除されるときの固定装置のラリンジアルマスク気道装置からの取り外しの助けになる。図１０〜図１２に示す実施形態では、オス部分とメス部分とはフック（１４）と凹部（２７）の組み合わせを構成し、フックは凹部と解除可能に係合することができ、固定装置のロック及び／又はロック解除を容易にする。
【０１３３】
図１０〜図１３に示す実施形態では、解除可能なロック手段（１２）は、第１の部分と第２の部分のロック及び／又はロック解除を容易にするレバー（１１）を含む。好ましくは、レバーは、オス部分（１４）とメス部分（１６、２７）のロック及び／又はロック解除を容易にするために設けられる。好ましくは、レバーは、ユーザがレバーを使用して固定装置をロック及び／又はロック解除し得るように、解除可能なロック手段の第１の部分、好ましくはオス部分から延在する。好ましくは、レバーは、解除可能なロック手段から弓状に外側に延在する。有利には、弓状の形状により、第１の部分と第２の部分のロック及び／又はロック解除を容易にするようにユーザがレバーに指を置くことが可能になる。典型的には、本発明の固定装置を使用するときに、特に、ユーザが固定装置を気道装置に対して不適切な位置に誤って位置決めし得る場合、例えば、ユーザに固定装置の最適な位置を決定した経験がない場合には、ユーザが気道装置の近位端に対して固定装置を再位置決めすることが必要となり得る。よって、レバーを設けることにより、有利には、固定装置の解除可能なロック手段のロック及び／又はロック解除時にユーザが第１の部分及び第２の部分を位置決め及び／又は再位置決めする際の助けが得られる。
【０１３４】
図９ａに、本発明の第１の実施形態によるフックとアパーチャとを含む解除可能なロック手段を示し、図９ｂに、本発明の第２の実施形態による、フックと凹部とを含み、レバーをさらに含む解除可能なロック手段を示す。
【０１３５】
固定装置（８）は、ラリンジアルマスク気道装置（１０）の近位端の形状と符合する形状である。図５に示すように、固定装置の内面は、ラリンジアルマスク気道装置の近位端の外面の形状に対応している。この実施形態では、固定装置（８）の内面は、ラリンジアルマスク気道装置（１０）のバイトブロック（３０）の外面の形状に対応している。
【０１３６】
一実施形態では、固定装置はリング形状を構成し得る。好ましくは、固定装置のリング形状は、解除可能なロック手段（１２）が設けられる破断部を含む。例えば図１０に示すように、レバー（１１）は、破断部に隣接して位置決めされる。
【０１３７】
解除可能なロック手段（１２）は、第１のオス部分（１４）と第２のメス部分（１６）とを含み、第１の部分と第２の部分は相互に係合可能である。このような相互に係合可能な部分を設けることは、使用時に固定装置をラリンジアルマスク気道装置にロック及び／又はロック解除する助けになる。
【０１３８】
例えば図３ｂに示すように、オス部分とメス部分とはフック（１４）とアパーチャ（１６）の組み合わせを構成し、フックはアパーチャと解除可能に係合することができる。フックとアパーチャの組み合わせを設けることにより、固定装置を容易にロック及び／又はロック解除する手段が提供され、よって、フックがアパーチャと係合するときの固定装置（８）のラリンジアルマスク気道装置（１０）への固定、その後フックとアパーチャの組み合わせが係合解除されるときの固定装置（８）のラリンジアルマスク気道装置（１０）からの取り外しの助けが得られる。
【０１３９】
図８に関連して、固定装置（８）は、患者にラリンジアルマスク気道装置（１０）を固定するためにその周囲にストラップ（２０）を取り外し可能に固定することができるストラップマウント（１８）を含む。ストラップマウント（１８）を含む固定装置（８）を設けることは、ラリンジアルマスク気道装置（１０）が患者に挿入された後でラリンジアルマスク気道装置（１０）を完全挿入配置により確実に固定する助けになる。ストラップは約６５０mmの長さを有することが好ましい。約６５０mmの長さを有するストラップを設けることにより、場合によってはすべてのサイズの患者に適合しない、より短い長さのストラップと関連付けられる問題が克服される。
【０１４０】
ストラップマウント（１８）は、少なくとも１つのマウントバー（２２）を含む。例えば、図３、図４及び図８に関連して、ストラップマウント（１８）は２つのマウントバー（２２）を含む。１つ又は２つのバーを有するストラップマウントを設けることは、ストラップマウントに１つ以上のストラップを取り付ける助けになり、ラリンジアルマスク気道装置（１０）を患者に固定するのに役立つ。
【０１４１】
少なくとも１つのマウントバー（２２）は、ラリンジアルマスク気道装置（１０）の長手方向軸に対して実質的に垂直な方向に延在する２つのアーム（２４）の間に配置され、マウントバー（２２）はラリンジアルマスク気道装置（１０）のどちらかの側に配置される。よって、ラリンジアルマスク気道装置（１０）は、患者の体内に挿入されたときに適所により確実に保持される。マウントバー（２２）は、ラリンジアルマスク気道装置（１０）の近位端に設けられる。
【０１４２】
図３及び図４に示すように、固定装置（８）は２つのタブ（１５）を含み、各タブはマウントバー上に設けられる。各タブ（１５）は、（図８に示されるような）ストラップ上に設けられたアパーチャ（１７）と符合する形状であり、その結果、少なくとも１つのタブは、装置が患者の体内に挿入されたときにストラップを適所に保持するために設けられる。
【０１４３】
好ましくは、少なくとも１つのタブ（１５）は、タブを頑丈とする寸法を有し、少なくとも１つのタブの破損を防止し、そして少なくとも１つのタブへのストラップの取り付けを容易にする。より大きな寸法のタブ（１５）を設けたものが、図１０〜図１６に示されている。
【０１４４】
図１７に関連して、ストラップは、少なくとも１つのタブ（１５）及び／又はストラップマウント（１８）に取り付けるための複数の穴（２９）を含む。好ましくは、ストラップは約２０個の穴を含む。好ましくは、穴の直径は、少なくとも１つのタブのサイズと符合するサイズである。好ましくは、穴の直径は約４mmである。
【０１４５】
固定装置（８）は、プラスチック材料を含む。一実施形態では、固定装置は、ポリ塩化ビニル又はシリコーンを含み得る。
【０１４６】
図３〜図８に関連して、固定装置（８）は、１つ以上の異なる位置でラリンジアルマスク気道装置（１０）に対して固定装置を再位置決めする手段（２６、２８）をさらに含む。よって、固定装置（８）を、ラリンジアルマスク気道装置（１０）の外面に対して複数の位置で固定することができ、よって、ラリンジアルマスク気道装置を異なるサイズの気道を有する患者に適合させることができる。
【０１４７】
再位置決めする手段（２６、２８）は、ラリンジアルマスク気道装置（１０）の外面に設けられたメス部分（２８）と相互に係合可能な固定装置（８）上に設けられたオス部分（２６）を含む。別の実施形態では、再位置決めする手段（２６、２８）は、ラリンジアルマスク気道装置（１０）の外面に設けられたオス部分と相互に係合可能な固定装置に設けられたメス部分を含む。よって、固定装置（８）は、ラリンジアルマスク気道装置の外面の異なる位置に解除可能に固定され得る。
【０１４８】
図３及び図４に示す実施形態では、再位置決めする手段は、固定装置の内面に設けられた２つの隆起部（２６）を含み、２つの隆起部（２６）は、ラリンジアルマスク気道装置（１０）の外面に設けられた対応する凹部（２８）と係合する。
【０１４９】
例えば図５に示すように、少なくとも１つの凹部（２８）は、ラリンジアルマスク気道装置（４）のバイトブロック（３０）の外面に設けられる。
【０１５０】
少なくとも１つの隆起部（２６）は、少なくとも１つの凹部（２８）と相互に係合可能である。よって、固定装置（８）は、ラリンジアルマスク気道装置（１０）の外面の異なる位置に解除可能に固定され得る。
【０１５１】
少なくとも１つの凹部（２８）は、ラリンジアルマスク気道装置（１０）の長手方向軸に実質的に垂直な方向にバイトブロック（３０）の一辺に沿って延在する。
【０１５２】
固定装置（８）は、ラリンジアルマスク気道装置の長手方向長さに沿った第１の位置と第２の位置との間で移動可能であり、そこに解除可能に固定され得る。
【０１５３】
図３〜図８に関連して、ラリンジアルマスク気道装置（１０）と併用するための固定装置（８）も提供され、固定装置（８）は、固定装置（８）を複数の異なる位置でラリンジアルマスク気道装置（１０）に解除可能に固定する解除可能な再位置決め手段（２６、２８）を含む。よって、固定装置（８）を、ラリンジアルマスク気道装置（１０）の外面に対して複数の位置で固定することができ、よって装置を異なるサイズの気道を有する患者に適合させることができる。
【０１５４】
再位置決めする手段は、ラリンジアルマスク気道装置（１０）の外面に設けられたメス部分（２８）と相互に係合可能な固定装置（８）上に設けられたオス部分（２６）を含む。よって、固定装置（８）は、ラリンジアルマスク気道装置（１０）の外面の異なる位置に解除可能に固定され得る。
【０１５５】
図３及び図４に示す実施形態では、再位置決めする手段は、固定装置（８）の内面に設けられた２つの隆起部（２６）を含み、隆起部（２６）は、ラリンジアルマスク気道装置の外面に設けられた対応する凹部（２８）と係合する。
【０１５６】
図５に示す実施形態では、少なくとも１つの凹部（２８）は装置（１０）のバイトブロック（３０）の外面に設けられる。
【０１５７】
よって、少なくとも１つの隆起部（２６）は、固定装置（８）がラリンジアルマスク気道装置（１０）の外面の異なる位置に解除可能に固定され得るように、少なくとも１つの凹部（２８）と相互に係合可能である。
【０１５８】
少なくとも１つの凹部（２６）は、ラリンジアルマスク気道装置（１０）の長手方向軸に実質的に垂直な方向にバイトブロック（３０）の一辺に沿って延在する。
【０１５９】
有利には、固定装置（８）は、ラリンジアルマスク気道装置（１０）の長手方向長さに沿った第１の位置と第２の位置との間で移動可能であり、そこに解除可能に固定され得る。
【０１６０】
固定装置（８）は、第１の部分（１４）と第２の部分（１６）とを含む解除可能なロック手段（１２）をさらに含み、第１の部分と第２の部分とは相互に係合可能である。ロック構成において、解除可能なロック手段は、ラリンジアルマスク気道装置（１０）が患者に挿入された後で装置（１０）を完全挿入配置に保持するのを助ける。ラリンジアルマスク気道装置（１０）が患者の気道から取り外されると、固定装置（８）はロック解除され、ラリンジアルマスク気道装置から取り外される。解除可能なロック手段を有する固定装置の使用により、固定装置を複数のラリンジアルマスク気道装置と併用することが可能になり、よってより高い柔軟性が与えられる。
【０１６１】
図３及び図４に示す実施形態では、第１の部分と第２の部分とはフック（１４）とアパーチャ（１６）の組み合わせを構成し、フックはアパーチャと解除可能に係合することができる。このような構成は、固定装置の容易なロック及び／又はロック解除の手段を提供し、よって、フックがアパーチャと係合するときの固定装置のラリンジアルマスク気道装置への固定及び／又はフックとアパーチャの組み合わせが係合解除されるときの固定装置（８）のラリンジアルマスク気道装置（１０）からの取り外しの助けになる。図１０〜図１２に示す実施形態では、オス部分とメス部分とはフック（１４）と凹部（２７）の組み合わせを構成し、フックは凹部と解除可能に係合することができる。
【０１６２】
図１０〜図１３に示す実施形態では、解除可能なロック手段（１２）は、第１の部分と第２の部分のロック及び／又はロック解除を容易にするレバー（１１）を含む。好ましくは、レバーは、オス部分（１４）とメス部分（１６、２７）のロック及び／又はロック解除を容易にするために設けられる。好ましくは、レバーは、ユーザがレバーを使用して固定装置をロック及び／又はロック解除し得るように、第１の部分、好ましくはオス部分から延在する。好ましくは、レバーは、解除可能なロック手段から弓状に外側に延在する。有利には、弓状の形状により、第１の部分と第２の部分のロック及び／又はロック解除を容易にするようにユーザがレバーに指を置くことが可能になる。典型的には、本発明の固定装置を使用するときに、特に、ユーザが固定装置を気道装置に対して不適切な位置に誤って位置決めし得る場合、例えば、ユーザに固定装置の最適な位置を決定した経験がない場合には、ユーザが気道装置の近位端に対して固定装置を再位置決めすることが必要となり得る。よって、レバーを設けることにより、有利には、固定装置の解除可能なロック手段のロック及び／又はロック解除時にユーザが第１の部分及び第２の部分を位置決め及び／又は再位置決めする際の助けが得られる。
【０１６３】
図５に関連して、少なくとも１つのエアウェイチューブ（３２）と少なくとも１つのエアウェイチューブ（３２）の一端で支持されたマスク（３４）とを含むラリンジアルマスク気道装置（１０）が提供され、マスク（３４）は、遠位端（３６）と、近位端（３８）と、喉頭口の外周の周囲にシールを形成するように患者の喉頭の背後の実際の潜在的な空間に順応し、その内部に収まることができる周辺形成物（４０）とを有する。周辺形成物（４０）は、マスクの中空内部空間又は内腔を取り囲み、少なくとも１つのエアウェイチューブ（３２）はマスクの内腔に開口している。周辺形成物（４０）は、喉頭室側と咽頭側との間の分離を確立する。装置は、固定装置をラリンジアルマスク気道装置に解除可能に固定する解除可能なロック手段（１２）を含む固定装置をさらに含む。よって、装置（１０）が患者に挿入された後でラリンジアルマスク気道装置（１０）は完全挿入配置に保持される。ラリンジアルマスク気道装置が患者の気道から取り外されると、固定装置はロック解除され、ラリンジアルマスク気道装置から取り外され得る。固定装置は、有利には、複数のラリンジアルマスク気道装置と併用されてもよく、よってより高い柔軟性が与えられる。
【０１６４】
図５に関連して、少なくとも１つのエアウェイチューブ（３２）と少なくとも１つのエアウェイチューブの一端で支持されたマスク（３４）とを含むラリンジアルマスク気道装置（１０）がさらに提供され、マスク（３４）は、遠位端（３６）と、近位端（３８）と、喉頭口の外周の周囲にシールを形成するように患者の喉頭の背後の実際の潜在的な空間に順応し、その内部に収まることができる周辺形成物（４０）とを有する。周辺形成物（４０）は、マスクの中空内部空間又は内腔を取り囲み、少なくとも１つのエアウェイチューブ（３２）はマスクの内腔に開口している。周辺形成物（４０）は、喉頭室側と咽頭側との間の分離を確立する。装置は、固定装置を複数の異なる位置でラリンジアルマスク気道装置に解除可能に固定する解除可能な再位置決め手段（１８）を含む固定装置をさらに含む。このような構成は、有利には、装置を異なるサイズの気道を有する患者のために適合させることを可能にする。
【０１６５】
ラリンジアルマスク気道装置（１０）は、マスクが適所にあるときに患者の食道に内視鏡を通すように適合された導管（４２）をさらに含む。導管（４２）は、患者の食道括約筋と連携するための遠位端を含み、そして導管は、喉頭側、咽頭側、導管に対して右側及び左側、並びに出口（４４）を有する。よって、本発明のラリンジアルマスク気道装置では、患者の食道括約筋と導管の遠位端との間の緊密な連携を提供することによって患者の体内で気道を確保するという利点と、内視鏡検査によって引き起こされ得る逆流や嘔吐から気道を保護するという利点が組み合わされる。よって、本発明の装置は有利には、患者の食道内に内視鏡を安全かつ正確に挿入すると同時に、患者の体内に気道を確保するのを支援する。
【０１６６】
好ましくは、出口（４４）において、左側と右側との間の幅は、導管（４２）の幅よりも狭い。
【０１６７】
好ましくは、出口（４４）において、咽頭側は、喉頭側の近位で終端する。
【０１６８】
好ましくは、出口（４４）において、導管壁の幅は狭まる。通常、この幅は、出口の左側と右側とで狭まる。
【０１６９】
導管（４２）の遠位端は、導管の長手方向軸に対して約３０度の角度で設けられることが好ましい。
【０１７０】
好ましくは、導管（４２）は、その近位端に内部スリーブ（４５）を含む。
【０１７１】
好ましくは、ラリンジアルマスク気道装置は、コネクタ（４６）をさらに含む。典型的には、スリーブ（４５）はコネクタ（４６）と一体的に形成されている。
【０１７２】
好ましくは、導管（４２）は大きな内径を有する。典型的には、導管は、ラリンジアルマスク気道装置のサイズに応じて、約５〜２５mm、より典型的には約１０〜２０mm、最も典型的には約１５mmの直径を有する。導管の直径は、有利には、内視鏡を導管に通すことを可能にする。よって、導管は、典型的には、外科医が患者の上部消化管を見るための「操作用経路」を形成する。加えて、導管の直径を、患者の解剖学的構造に応じて変化させてもよい。好ましくは、導管の半径方向の壁厚は、約１〜２mmである。
【０１７３】
典型的には、ラリンジアルマスク気道装置は、好ましくは圧力弁（２１）を含む膨張ライン（１９）をさらに含む。
【０１７４】
典型的には、本発明のラリンジアルマスク気道装置は、装置の挿入を誘導するカフの先端によって上部食道括約筋に挿入される。さらに、装置の先端の遠位柔軟性は、装置の挿入時に患者の咽喉の後方湾曲に追従するのを補助することができ、患者の咽喉の外傷を減少させる。
【０１７５】
内視鏡と組み合わせて本発明によるラリンジアルマスク気道装置を使用すると、内視鏡単独で使用するよりも安全であり、有利には、内視鏡を患者の食道内により長時間にわたって挿入することができる。
【０１７６】
典型的には、周辺形成物は膨張式であり得る。好ましくは、周辺形成物は膨張式カフを含む。典型的には、カフは、喉頭口の周囲にシールを形成するように、患者の喉頭の背後の実際の潜在的な空間に順応し、その内部に収まることができる。典型的には、カフは、近位端から遠位端まで延在する。
【０１７７】
図面に関連して、ラリンジアルマスク気道装置と本発明の第１の態様及び／又は第２の態様による固定装置とを含むキットが提供される。
【０１７８】
図面に関連して、第１の態様の固定装置（８）をラリンジアルマスク気道装置（１０）に解除可能に固定する方法が提供される。使用に際して、第１の態様の固定装置（８）は、ラリンジアルマスク気道装置（１０）の近位端の周囲に配置される。解除可能なロック手段のフック（１４）がアパーチャ（１６）又は凹部（２７）と係合し、固定装置が適所にロックされる。レバー（１１）は、ユーザが解除可能なロック手段をロック解除し、固定装置をラリンジアルマスクから取り外せるように、アパーチャ又は凹部からのフックのロック解除を容易にするのに使用され得る。
【０１７９】
図面に関連して、第２の態様の固定装置を複数の異なる位置でラリンジアルマスク気道装置に再位置決めする方法が提供される。使用に際して、第２の態様の固定装置（８）は、ラリンジアルマスク気道装置（１０）の近位端の周囲に配置される。固定装置は、固定装置がラリンジアルマスク気道装置の外面に対して複数の位置で固定されることを可能にする再位置決めする手段（２６、２８）を含む。
【０１８０】
図面に関連して、第３の態様及び／又は第４の態様によるラリンジアルマスク気道装置を製造する方法であって、ラリンジアルマスク気道装置を形成する工程と、ラリンジアルマスク気道装置とは別に第１の態様及び／又は第２の態様による固定装置を形成する工程とを含み、固定装置が、ラリンジアルマスク気道装置に解除可能に固定されるように適合される、方法が提供される。
【０１８１】
図面に関連して、ラリンジアルマスク気道装置を患者に挿入する方法が提供され、本方法は、マスクを必要とされる位置まで挿入する工程と、ラリンジアルマスク気道装置の近位端に対して第１の態様及び／又は第２の態様の解除可能な固定装置の位置を調整することによってマスクを必要とされる位置において固定する工程とを含む。
【図１】
2019509860.tif 000003
【図２】
2019509860.tif 000004
【図３ａ】
2019509860.tif 000005
【図３ｂ】
2019509860.tif 000006
【図３ｃ】
2019509860.tif 000007
【図４ａ】
2019509860.tif 000008
【図４ｂ】
2019509860.tif 000009
【図５】
2019509860.tif 000010
【図６】
2019509860.tif 000011
【図７】
2019509860.tif 000012
【図８】
2019509860.tif 000013
【図９ａ】
2019509860.tif 000014
【図９ｂ】
2019509860.tif 000015
【図１０】
2019509860.tif 000016
【図１１】
2019509860.tif 000017
【図１２】
2019509860.tif 000018
【図１３】
2019509860.tif 000019
【図１４】
2019509860.tif 000020
【図１５】
2019509860.tif 000021
【図１６】
2019509860.tif 000022
【図１７】
2019509860.tif 000023
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
固定装置をラリンジアルマスク気道装置に解除可能に固定する解除可能なロック手段を含む、ラリンジアルマスク気道装置と併用するための固定装置。
【請求項２】
前記解除可能なロック手段が、第１の構成で、前記固定装置が前記ラリンジアルマスク気道装置に固定されて適所にロックされ得、第２の構成で、前記固定装置がロック解除されて前記ラリンジアルマスク気道装置から取り外され得るように構成されている、請求項１に記載の固定装置。
【請求項３】
前記解除可能なロック手段が、第１の部分と第２の部分とを含み、前記第１の部分と前記第２の部分とが相互に係合可能である、請求項１又は２に記載の固定装置。
【請求項４】
前記解除可能なロック手段が、オス部分とメス部分とを含み、前記オス部分が前記メス部分と相互に係合可能である、請求項１、２又は３のいずれか一項に記載の固定装置。
【請求項５】
前記オス部分と前記メス部分とが、フックとアパーチャの組み合わせを構成し、前記フックが前記アパーチャと解除可能に係合することができる、請求項４に記載の固定装置。
【請求項６】
前記オス部分と前記メス部分とが、フックと凹部の組み合わせを構成し、前記フックが前記凹部と解除可能に係合することができる、請求項４に記載の固定装置。
【請求項７】
前記解除可能なロック手段が、ロック構成の方へ付勢される、請求項１〜６のいずれか一項に記載の固定装置。
【請求項８】
前記解除可能なロック手段が、前記固定装置のロック及び／又はロック解除を容易にするレバーをさらに含む、請求項１〜７のいずれか一項に記載の固定装置。
【請求項９】
前記固定装置が、前記ラリンジアルマスク気道装置の近位端の形状と符合する形状である、請求項１〜８のいずれか一項に記載の固定装置。
【請求項１０】
前記固定装置が、前記ラリンジアルマスク気道装置のバイトブロックの形状と符合する形状である、請求項１〜９のいずれか一項に記載の固定装置。
【請求項１１】
前記固定装置が、前記ラリンジアルマスク気道装置のバイトブロックの外面に固定される、請求項１〜１０のいずれか一項に記載の固定装置。
【請求項１２】
患者に前記ラリンジアルマスク気道装置を固定するためにその周囲にストラップを解除可能に固定することができるストラップマウントを含む、請求項１〜１１のいずれか一項に記載の固定装置。
【請求項１３】
少なくとも１つのマウントバーを含む、請求項１２に記載の固定装置。
【請求項１４】
前記少なくとも１つのマウントバーが、前記装置の長手方向軸に対して実質的に垂直な方向に延在する２つのアームの間に配置されており、マウントバーが前記装置のどちらかの側に配置されている、請求項１３に記載の固定装置。
【請求項１５】
少なくとも１つのタブをさらに含む、請求項１〜１４のいずれか一項に記載の固定装置。
【請求項１６】
各タブがマウントバー上に設けられている、請求項１５に記載の固定装置。
【請求項１７】
前記少なくとも１つのタブが、ストラップ上に設けられたアパーチャと符合する形状であり、前記少なくとも１つのタブが、前記装置が患者の体内に挿入されたときに前記ストラップを適所に保持するように設けられている、請求項１５又は１６のいずれか一項に記載の固定装置。
【請求項１８】
１つ以上の異なる位置で前記ラリンジアルマスク気道装置に対して前記固定装置を再位置決めする手段をさらに含む、請求項１〜１７のいずれか一項に記載の固定装置。
【請求項１９】
前記再位置決めする手段が、相互に係合可能なオス部分とメス部分とを含む、請求項１８に記載の固定装置。
【請求項２０】
前記再位置決めする手段が、前記固定装置の内面に設けられた少なくとも１つの隆起部を含む、請求項１８又は１９に記載の固定装置。
【請求項２１】
２つの隆起部を含む、請求項２０に記載の固定装置。
【請求項２２】
前記少なくとも１つの隆起部が、前記ラリンジアルマスク気道装置の外面に設けられた少なくとも１つの凹部と係合する、請求項１８〜２１のいずれか一項に記載の固定装置。
【請求項２３】
前記少なくとも１つの凹部が、前記ラリンジアルマスク気道装置のバイトブロックの外面に設けられている、請求項２２に記載の固定装置。
【請求項２４】
少なくとも１つの隆起部が、前記少なくとも１つの凹部と相互に係合可能である、請求項２２又は２３に記載の固定装置。
【請求項２５】
前記少なくとも１つの凹部が、前記ラリンジアルマスク気道装置の長手方向軸に実質的に垂直な方向に前記バイトブロックの一辺に沿って延在する、請求項２３又は２４に記載の固定装置。
【請求項２６】
前記固定装置が、前記ラリンジアルマスク気道装置の長手方向長さに沿った第１の位置と第２の位置との間で移動可能であり、そこに解除可能に固定され得る、請求項１８〜２５のいずれか一項に記載の固定装置。
【請求項２７】
固定装置を複数の異なる位置でラリンジアルマスク気道装置に解除可能に固定する解除可能な再位置決め手段を含む、ラリンジアルマスク気道装置と併用するための固定装置。
【請求項２８】
請求項１〜２７のいずれか一項に記載の固定装置を含む、ラリンジアルマスク気道装置。
【請求項２９】
ラリンジアルマスク気道装置を形成する工程と、前記ラリンジアルマスク気道装置とは別に請求項１〜２７のいずれか一項に記載の固定装置を形成する工程とを含み、前記固定装置が前記ラリンジアルマスク気道装置に解除可能に固定されるように適合される、請求項２８に記載のラリンジアルマスク気道装置を製造する方法。
【国際調査報告】
2019509860.tif 000024
2019509860.tif 000025
2019509860.tif 000026
2019509860.tif 000027
2019509860.tif 000028
2019509860.tif 000029
2019509860.tif 000030